(57)【要約】  ユーザが望む視聴形態に応じた表示モードに容易に切り換え可能にする。表示装置（１）は、スライド可能な背景上に１又は複数のオブジェクトを表示するものであり、１又は複数のオブジェクトのうちの対象オブジェクトの表示を、背景がスライドされた場合に停止する第１のモードと、背景がスライドされたか否かに関わらず、当該対象オブジェクトを表示領域に対して固定して表示する第２のモードとを切り替える。
2017038261.tif 000002
【特許請求の範囲】
【請求項１】
スライド可能な背景上に１又は複数のオブジェクトを表示する表示装置であって、
上記１又は複数のオブジェクトのうちの対象オブジェクトの表示を、上記背景がスライドされた場合に停止する第１のモードと、上記背景がスライドされたか否かに関わらず、当該対象オブジェクトを表示領域に対して固定して表示する第２のモードとが切り替え可能であることを特徴とする表示装置。
【請求項２】
上記第１のモードにおいて、上記対象オブジェクトを移動する操作を受け付けた場合、上記第１のモードから上記第２のモードに切り替えることを特徴とする請求項１に記載の表示装置。
【請求項３】
上記第２のモードにおいて、上記対象オブジェクトを上記背景における所定の領域内に移動する操作を受け付けた場合、上記第２のモードから上記第１のモードに切り替えることを特徴とする請求項１又は２に記載の表示装置。
【請求項４】
全画面表示のアプリケーションを実行中に、上記背景を表示させる操作を受け付けた場合、上記第１のモード及び上記第２のモードのうち上記アプリケーション実行前に表示していたモードで上記対象オブジェクトの表示を行うことを特徴とする請求項１から３の何れか１項に記載の表示装置。
【請求項５】
上記第１のモードにおいて、上記対象オブジェクトが選択された場合、当該対象オブジェクトを全画面表示することを特徴とする請求項１から４の何れか１項に記載の表示装置。
【請求項６】
上記第２のモードにおいて、上記対象オブジェクトが選択された場合、当該対象オブジェクトを操作するためのオブジェクトを表示することを特徴とする請求項１から５の何れか１項に記載の表示装置。
【請求項７】
上記第１のモードにおいて、上記１又は複数のオブジェクトの何れかを展開又は拡大する操作を受け付けた場合、展開又は拡大されたオブジェクトの少なくとも一部が、上記対象オブジェクトの少なくとも一部に重畳するときには、上記対象オブジェクトの表示を停止することを特徴とする請求項１から６の何れか１項に記載の表示装置。
【請求項８】
上記第２のモードにおいて、上記１又は複数のオブジェクトの何れかを展開又は拡大する操作を受け付けた場合、展開又は拡大されたオブジェクトの少なくとも一部が、上記対象オブジェクトの少なくとも一部に重畳するか否かに関わらず、上記対象オブジェクトを優先して表示することを特徴とする請求項１から７の何れか１項に記載の表示装置。
【請求項９】
上記第１のモードにおいて、上記１又は複数のオブジェクトの何れかを移動するために、当該オブジェクトを移動する操作を受け付けた場合、上記対象オブジェクトの表示を停止することを特徴とする請求項１から８の何れか１項に記載の表示装置。
【請求項１０】
上記第２のモードにおいて、上記１又は複数のオブジェクトの何れかを移動するために、当該オブジェクトを移動する操作を受け付けた場合、上記対象オブジェクトを優先して表示することを特徴とする請求項１から９の何れか１項に記載の表示装置。
【請求項１１】
上記第１のモードにおいて、全画面表示のアプリケーションを起動する操作を受け付けた場合、上記アプリケーションを全画面表示すると共に、上記対象オブジェクトの表示を停止することを特徴とする請求項１から１０の何れか１項に記載の表示装置。
【請求項１２】
上記第２のモードにおいて、全画面表示のアプリケーションを起動する操作を受け付けた場合、上記アプリケーションを全画面表示すると共に、上記対象オブジェクトを表示領域に対して固定して表示することを特徴とする請求項１から１１の何れか１項に記載の表示装置。
【請求項１３】
上記対象オブジェクトを上記第１のモードで表示するか、当該対象オブジェクトの表示を停止するかを選択するメニューを表示することを特徴とする請求項１から１２の何れか１項に記載の表示装置。
【請求項１４】
上記メニューの選択に応じて、現在表示している上記背景の位置を示すオブジェクトを変更することを特徴とする請求項１３に記載の表示装置。
【請求項１５】
上記背景は複数のページから構成されており、
上記ページごとにテーマが設定されており、各上記ページには、設定されている上記テーマに関連する上記オブジェクトを配置することを特徴とする請求項１〜１３のいずれか１項に記載の表示装置。
【請求項１６】
上記表示装置は、上記１又は複数のオブジェクトをコンテンツと共に表示するものであり、
上記１又は複数のオブジェクトの何れかを展開又は拡大する操作を受け付ける受付部と、
展開又は拡大されたオブジェクトの少なくとも一部が、上記コンテンツの少なくとも一部に重畳する場合、上記コンテンツの表示を停止する制御部と、
をさらに備えていることを特徴とする請求項１から１５の何れか１項に記載の表示装置。
【請求項１７】
上記表示装置は、上記１又は複数のオブジェクトをコンテンツと共に表示するものであり、
上記１又は複数のオブジェクトの何れかの対象オブジェクトを移動するために、当該対象オブジェクトを移動する操作を受け付けた場合、上記コンテンツの表示を停止する
ことを特徴とする請求項１から１５の何れか１項に記載の表示装置。
【請求項１８】
上記表示装置は、上記１又は複数のオブジェクトをコンテンツと共に表示するものであり、
新たにインストールされたアプリケーションを表す対象オブジェクトが上記コンテンツに重ならないように、当該対象オブジェクトの表示位置を調整する調整部をさらに備えている
ことを特徴とする請求項１から１５の何れか１項に記載の表示装置。
【請求項１９】
上記表示装置は複数のプレーンを用いて表示を行うものであり、
上記１又は複数のオブジェクトを表示するプレーンよりも上位のプレーンに上記コンテンツを表示する
ことを特徴とする請求項１６から１８の何れか１項に記載の表示装置。
【請求項２０】
請求項１から１９の何れか１項に記載の表示装置を備えている
ことを特徴とするテレビジョン受像機。
【請求項２１】
請求項１から１９の何れか１項に記載の表示装置としてコンピュータを機能させるためのプログラムであって、コンピュータを前記各部として機能させるためのプログラム。
【請求項２２】
請求項２１に記載のプログラムを記録したコンピュータ読み取り可能な記録媒体。
【請求項２３】
スライド可能な背景上に１又は複数のオブジェクトを表示する表示方法であって、
上記１又は複数のオブジェクトのうちの対象オブジェクトの表示を、上記背景がスライドされた場合に停止する第１のモードと、上記背景がスライドされたか否かに関わらず、当該対象オブジェクトを表示領域に対して固定して表示する第２のモードとを切り替えることを特徴とする表示方法。
【発明の詳細な説明】
【技術分野】
【０００１】
本発明は表示装置、テレビジョン受像機、プログラム及び記録媒体に関する。
【背景技術】
【０００２】
近年、スマートテレビとして、放送波を受信して得られるテレビ放送映像を表示する機能だけではなく、様々な機能を付加したスマートテレビが開発されている。例えば、Ａｎｄｒｏｉｄ（登録商標）等のプラットフォームを搭載し、スマートフォン又はタブレットＰＣ（Personal Computer）のように、アプリケーションを実行して得られる画像を表示するスマートテレビが開発されている。【０００３】
更に、近年、アプリケーションを実行中にテレビ放送映像を視聴したいというユーザのニーズに応えるための技術も開発されている。【０００４】
例えば、特許文献１には、テレビ会議中に、他拠点の画像と、共有資料の画像とを同一画面で同時に視ることができるテレビ会議装置が開示されている。このテレビ会議装置では、表示部が会議アプリ表示領域と資料共有表示領域とに分割され、会議アプリ表示領域にテレビ会議画面が表示され、資料共有表示領域に資料画面が表示される。【０００５】
また、特許文献２には、通常のテレビに対して、スマートテレビのような機能を付加するために、ＯＳを搭載したセットトップボックス（Set Top Box：ＳＴＢとも呼ぶ）を用いて、ＳＴＢにより実行されるアプリケーションとテレビ放送映像とを同時に視聴する技術が開示されている。この技術では、テレビのＰｉｎＰ（Picture in Picture）機能を用いて、親画面にＳＴＢにより実行されるアプリケーションの画像を表示し、子画面にはテレビ放送映像を表示する。
【先行技術文献】
【特許文献】
【０００６】
【特許文献１】日本国公開特許公報「特開２０１２−２３１４２８号公報（２０１２年１１月２２日公開）」
【特許文献２】日本国公開特許公報「特開２０１４−８２７５４号公報（２０１４年５月８日公開）」
【発明の概要】
【発明が解決しようとする課題】
【０００７】
ユーザには、テレビを重点的に視聴したい場合もあったり、他のアプリケーションを使用しながらテレビを視聴したい場合もあったり、その時々でユーザが望む視聴形態は異なる。【０００８】
特許文献１及び特許文献２に開示されている技術では、アプリケーションを実行中にテレビ放送映像を視聴する形態を主眼としたものであり、ユーザが望む視聴形態に柔軟に対応するという側面において改善の余地があった。【０００９】
そこで、本発明は、上記の課題に鑑みてなされたものであり、その第１の目的は、ユーザが望む視聴形態に応じた表示モードに容易に切り換えることができる表示装置、テレビジョン受像機、プログラム及び記録媒体を提供することにある。
さらに、特許文献１の技術では、表示部が会議アプリ表示領域と、資料共有表示領域とに分割されているので、例えば、資料画面（オブジェクト）をユーザが意図した任意の箇所に表示することはできない。
また、特許文献２の技術では、ＴＶにおいて、テレビ放送映像（コンテンツ）と重ならないように、アプリケーションの起動などに用いられるアイコン（オブジェクト）の表示位置が修正されるので、アイコンと、テレビ放送映像とが重なりそうになると、アイコンの表示位置が変わる。従って、ユーザが意図した適切な箇所にアイコンが表示されるとは限らない。
本発明は、上記課題に鑑みてなされたものであり、その第２の目的は、オブジェクトをコンテンツと共に表示する際に、オブジェクトを適切に表示する技術を提供することにある。
【課題を解決するための手段】
【００１０】
本発明の一態様に係る表示装置は、上記の課題を解決するために、スライド可能な背景上に１又は複数のオブジェクトを表示する表示装置であって、上記１又は複数のオブジェクトのうちの対象オブジェクトの表示を、上記背景がスライドされた場合に停止する第１のモードと、上記背景がスライドされたか否かに関わらず、当該対象オブジェクトを表示領域に対して固定して表示する第２のモードとが切り替え可能であることを特徴とする。
また、本発明の一態様に係る表示装置は、上記の課題を解決するために、１又は複数のオブジェクトをコンテンツと共に表示する表示装置であって、上記１又は複数のオブジェクトの何れかを展開又は拡大する操作を受け付ける受付部と、展開又は拡大されたオブジェクトの少なくとも一部が、上記コンテンツの少なくとも一部に重畳する場合、上記コンテンツの表示を停止する制御部と、を備えていることを特徴とする。
【発明の効果】
【００１１】
本発明の一態様によれば、ユーザが望む視聴形態に応じた表示モードに容易に切り換えることができる。
また、本発明の一態様によれば、オブジェクトをコンテンツと共に表示する際に、オブジェクトを適切に表示することができるという効果を奏する。
【図面の簡単な説明】
【００１２】
【図１】本発明の実施形態１に係る表示装置の構成を示すブロック図である。
【図２】本発明の実施形態１に係るタブレット端末の外観を示す図である。
【図３】本発明の実施形態１に係るテレビジョン受像機の外観を示す図である。
【図４】図中の（ａ）〜（ｅ）は、ホーム画面をスライドさせたときの画面遷移例を示す図である。
【図５】図中の（ａ）及び（ｂ）は、本発明の実施形態１に係る２つの表示モードの画面表示例を示す図である。
【図６】図中の（ａ）及び（ｂ）は、本発明の実施形態１に係るミニテレビホームモードにおいて、背景をスライドした場合の画面遷移例を示す図である。
【図７】図中の（ａ）及び（ｂ）は、本発明の実施形態１に係るミニテレビフリーモードにおいて、背景をスライドした場合の画面遷移例を示す図である。
【図８】図中の（ａ）〜（ｃ）は、本発明の実施形態１に係るミニテレビホームモードからミニテレビフリーモードへの切り替え時の画面遷移例を示す図である。
【図９】本発明の実施形態１に係るミニテレビホームモードからミニテレビフリーモードへの切り替え手順を示すフロー図である。
【図１０】図中の（ａ）〜（ｃ）は、本発明の実施形態１に係るミニテレビフリーモードからミニテレビホームモードへの切り替え時の画面遷移例を示す図である。
【図１１】本発明の実施形態１に係るミニテレビフリーモードからミニテレビホームモードへの切り替え手順を示すフロー図である。
【図１２】図中の（ａ）〜（ｃ）は、本発明の実施形態１に係るミニテレビホームモードにおいて、全画面表示のアプリケーション実行中に表示装置のホームボタンを押したときの画面遷移例を示す図である。
【図１３】図中の（ａ）〜（ｃ）は、本発明の実施形態１に係るミニテレビフリーモードにおいて、全画面表示のアプリケーション実行中に表示装置のホームボタンを押したときの画面遷移例を示す図である。
【図１４】図中の（ａ）及び（ｂ）は、本発明の実施形態１に係るミニテレビホームモードにおいて、ホーム画面上に表示されたミニテレビをタップしたときの画面遷移例を示す図である。
【図１５】図中の（ａ）及び（ｂ）は、本発明の実施形態１に係るミニテレビフリーモードにおいて、ホーム画面上に表示されたミニテレビをタップしたときの画面遷移例を示す図である。
【図１６】図中の（ａ）及び（ｂ）は、本発明の実施形態１に係るミニテレビホームモードにおいて、ホーム画面上に表示されたアイコンフォルダをタップしたときの画面遷移例を示す図である。
【図１７】図中の（ａ）及び（ｂ）は、本発明の実施形態１に係るミニテレビフリーモードにおいて、ホーム画面上に表示されたアイコンフォルダをタップしたときの画面遷移例を示す図である。
【図１８】図中の（ａ）及び（ｂ）は、本発明の実施形態１に係るミニテレビホームモードにおいて、ホーム画面上に表示されたアイコンを移動させたときの画面遷移例を示す図である。
【図１９】図中の（ａ）及び（ｂ）は、本発明の実施形態１に係るミニテレビフリーモードにおいて、ホーム画面上に表示されたアイコンを移動させたときの画面遷移例を示す図である。
【図２０】図中の（ａ）及び（ｂ）は、本発明の実施形態１に係るミニテレビホームモードにおいて、アプリケーションを起動したときの画面遷移例を示す図である。
【図２１】図中の（ａ）及び（ｂ）は、本発明の実施形態１に係るミニテレビフリーモードにおいて、アプリケーションを起動したときの画面遷移例を示す図である。
【図２２】本発明の実施形態１に係るミニテレビの表示設定を選択できる選択メニューの表示例を示す図である。
【図２３】図中の（ａ）及び（ｂ）は、本発明の実施形態１に係るミニテレビの各表示設定に応じた画面表示例を示す図である。
【図２４】本発明の実施形態１に係るミニテレビを表示させるか否かを選択できる選択メニューの表示例を示す図である。
【図２５】本発明の実施形態１に係るミニテレビ用のウィジェットを表示させるか否かを選択できる選択メニューの表示例を示す図である。
【図２６】図中の（ａ）〜（ｃ）は、本発明の実施形態１に係る各表示設定において、新しいアプリケーションをダウンロードしたときの画面表示例を示す図である。
【図２７】図中の（ａ）及び（ｂ）は、本発明の実施形態１に係る各表示設定におけるインジケータの表示例を示す図である。
【図２８】図２８の（ａ）〜（ｄ）は、テーマが異なる５ページそれぞれの画面表示例を示す図である。
【図２９】本発明の実施形態２に係る表示装置の構成を示すブロック図である。
【図３０】本発明の実施形態２に係る表示装置の動作例１を示す画面構成図であり、（ａ）はアイコンフォルダを展開する前の画面構成を示し、（ｂ）はアイコンフォルダを展開した後の画面構成を示す。
【図３１】本発明の実施形態２に係る表示装置の動作例２を示す画面構成図であり、（ａ）はアイコンを長押しする前の画面構成を示し、（ｂ）はアイコンを長押しした後の画面構成を示す。
【図３２】本発明の実施形態２に係る表示装置の動作例３を示す画面構成図であり、（ａ）はアプリケーションをインストールする前の画面構成を示し、（ｂ）はアプリケーションをインストールした後の画面構成を示す。
【発明を実施するための形態】
【００１３】
〔実施形態１〕
以下、本発明の実施形態１について、詳細に説明する。
【００１４】
（表示装置の概要）
本実施形態に係る表示装置は、スライド可能な背景上に１又は複数のオブジェクトを表示するものである。背景として、ホーム画面が挙げられる。ホーム画面とは、ユーザがよく使うアプリケーションのアイコンおよびウィジェット等の複数のオブジェクトが配置される画面である。ホーム画面を複数のページで構成することにより、ホーム画面のページごとにオブジェクトを配置してオブジェクトを分類することができる。ホーム画面をページごとにスライドすることにより、各ページを表示させることができる。
【００１５】
本実施形態に係る表示装置は、例えば、図２に示すようなスマートフォン及びタブレットＰＣ（Personal Computer）等のタブレット端末１００、又は図３に示すようなテレビジョン受像機２００として実現できる。
【００１６】
図２に示すように、タブレット端末１００の表示画面１１８では、オブジェクトとして、複数のアイコン１５２を表示すると共にテレビ放送映像１５０をホーム画面に表示している。同様に、図３に示すように、テレビジョン受像機２００の表示画面２１８では、オブジェクトとして、複数のアイコン２５２を表示すると共に、テレビ放送映像２５０をホーム画面に表示している。
【００１７】
なお、本実施形態においては、アイコン、ウィジェット及びコンテンツ等、表示装置の表示画面に表示する対象をオブジェクトと呼ぶ。
【００１８】
（表示装置の構成）
本実施形態に係る表示装置の詳細な構成について、図１を参照して説明する。図１は、本実施形態に係る表示装置１の構成を示すブロック図である。
【００１９】
表示装置１は、図１に示すように、制御部１１、入力受付部１６、メモリ１７、表示部１８、チューナ部１９、外部通信部２０及び外部機器接続部２１を有している。
【００２０】
制御部１１は、表示装置１の各部の動作及び処理を制御するものであり、テレビアプリ実行部１２、ホームアプリ実行部１３、表示処理部１４及びタッチ検出部１５を有している。
【００２１】
入力受付部１６は、ユーザからの入力を受け付ける入力装置である。入力受付部１６は、例えば表示部１８の表面上に積層されて、表示部１８と一体的に形成されているタッチパネルである。
【００２２】
メモリ１７は、１又は複数のプログラム、及び表示装置１の設定データ等が格納されている。メモリ１７に格納されている１又は複数のプログラムには、表示装置１を動作させるためのＯＳ（Operating System）およびミドルウェア等も含まれている。
【００２３】
表示部１８は、表示処理部１４の制御により、供給された画像を表示する。表示部１８の例としては、液晶ディスプレイ、有機ＥＬ（Electro Luminescence）ディスプレイ、及びプラズマディスプレイ等が挙げられる。
【００２４】
チューナ部１９は、地上デジタル放送及び衛星放送等の放送波を受信するためのチューナである。チューナ部１９には、放送波を受信するアンテナ２２に接続されている。
【００２５】
外部通信部２０は、表示装置１が、外部装置と通信を行なうためのものである。外部通信部２０は、インターネット等の通信ネットワーク２３と接続可能に構成されている。なお、図示していないが、外部通信部２０と通信ネットワーク２３との間には、ＬＡＮ（Local Area Network）又はルータ等の通信を行なうために必要な構成が適宜設けられている。
【００２６】
外部機器接続部２１は、表示装置１に接続する外部機器２４のインターフェースである。外部機器２４としては、例えばＨＤＤ（ハードディスクドライブ）又はメモリデバイス等が挙げられる。
【００２７】
制御部１１が備えるホームアプリ実行部１３は、表示装置１のホーム画面の表示制御を行いながら、メモリ１７に格納されているアプリケーションプログラムを起動する。ホームアプリ実行部１３は、ホーム画面又はアプリケーションの表示画面を表示するように表示処理部１４に指示する。
【００２８】
アプリケーションプログラムの１つとして、チューナ部１９が受信した放送波から取得したテレビ放送映像を表示部１８に表示するアプリケーション（以下、テレビアプリとも呼ぶ）がある。制御部１１が備えるテレビアプリ実行部１２は、ホームアプリ実行部１３によって起動されたテレビアプリを実行する。テレビアプリ実行部１２は、テレビ放送映像を表示するように表示処理部１４に指示したり、テレビ放送映像の表示を停止するように表示処理部１４に指示したりする。
【００２９】
表示処理部１４は、テレビアプリ実行部１２及びホームアプリ実行部１３等より供給された画像を表示部１８に表示させるための処理を行う。表示処理部１４は、テレビアプリ実行部１２から供給されるテレビ放送映像又はテレビアプリの表示画面を表示部１８に表示させたり、ホームアプリ実行部１３から供給されるホーム画面を表示部１８に表示させたりする。
【００３０】
ここで、ホームアプリ実行部１３が供給するホーム画面は、例えばユーザによってスライド可能なホーム画面であって、１又は複数のオブジェクトが表示されたホーム画面である。表示装置１では、当該オブジェクトの１つとして、テレビアプリ実行部１２から供給されるテレビ放送映像を表示することも可能である。
【００３１】
換言すれば、表示装置１では、ホームアプリ実行部１３のホーム画面を表示している状態でテレビアプリ実行部１２のテレビ放送映像を重畳して表示することが可能である。この場合、表示処理部１４は、テレビアプリ実行部１２から提供されるテレビ放送映像を、ホームアプリ実行部１３から供給されるホーム画面に重畳することによって、表示部１８に表示するための画像データを生成する処理を行う。
【００３２】
なお、表示処理部１４は、仮想的な複数のプレーン（レイヤ）を用いて表示を行うものであり、テレビアプリ実行部１２から供給されるテレビ放送映像を表示するプレーンと、１又は複数のオブジェクト（ただし、テレビアプリ実行部１２のテレビ放送映像を除く）を含むホーム画面を表示するプレーンとを用いて表示を行う。テレビ放送映像を表示するプレーンは、ホーム画面を表示するプレーンよりも上位のプレーンとなっている。ここで、本明細書における「上位のプレーン」とは、下位のプレーンが示す画像に対して上書きされる画像のためのプレーンのことを指す。したがって、テレビ放送映像を表示するプレーンは、ホーム画面を表示するプレーンよりも上位に位置しているため、テレビ放送映像とホーム画面上のオブジェクトとが重なった場合には、ユーザから見て、テレビ放送映像が優先して表示される。
【００３３】
タッチ検出部１５は、入力受付部１６がユーザからの入力を受け付けると、ユーザによるタッチ位置を検出する。さらに、タッチ検出部１５は、検出したタッチ位置に基づき、ユーザ操作の内容を判定する。タッチ検出部１５は、検出したタッチ位置に基づき、ユーザによるタッチ位置の変化及びタッチ時間等を算出することにより、ユーザ操作の内容（例えば、タップ、ドラッグ及びフリック等）を判定することができる。
【００３４】
タッチ検出部１５は、表示部１８に表示されている画像を参照して、タッチ位置において最前面（最上位）に表示されているオブジェクトを検出し、当該オブジェクトの操作対象（例えば、テレビアプリ実行部１２又はホームアプリ実行部１３等）にタッチ情報を通知する。タッチ情報とは、ユーザがタッチしたオブジェクト、及びそのオブジェクトに対するユーザ操作の内容（例えば、タップ、ドラッグ及びフリック等）を含む情報である。このように、タッチ検出部１５は、ユーザがタッチしたオブジェクトに応じて、タッチ情報の通知先を変える。
【００３５】
（２つの表示モード）
本実施形態に係る表示装置１は、スライド可能な背景上に１又は複数のオブジェクトを表示するものである。これについて、複数のページから構成されたホーム画面（背景）上に複数のアイコンを表示している例を挙げて、図４を参照して説明する。図４の（ａ）〜（ｅ）は、ホーム画面をスライドさせたときの画面遷移例を示す図である。
【００３６】
図４の（ａ）〜（ｅ）に示すように、ホーム画面は５ページから構成されており、この５ページは、仮想的に（ａ）〜（ｅ）の順番で横一列に並んでいる。表示部１８には、５ページのうちの１つのページのホーム画面が表示されている。この状態でホーム画面上をユーザが左又は右にフリックすることにより、右隣又は左隣のページにスライドすることができる。
【００３７】
例えば、図４の（ａ）のホーム画面を表示している状態でホーム画面上をユーザが左にフリックすると、ホーム画面が左にスライドし、右隣の図４の（ｂ）のホーム画面が表示される。
【００３８】
この際、ホーム画面上には、５ページのうちどのページを表示しているのか（すなわち、現在表示されているホーム画面の位置）を示すためのインジケータ７０を表示することができる。例えば、各ページをインジケータ７０のようなドット等のオブジェクトで表し、現在表示しているページのオブジェクトの色、濃淡又はサイズ等を他のオブジェクトと異ならせて表示することにより、現在表示しているページを示すことができる。本図では、１つ目のページがテレビのマークで表され、２つ目〜４つ目のページがドットで表されており、現在表示しているページのオブジェクトが黒くなって表示されている。
【００３９】
本実施形態に係る表示装置１では、スライド可能な背景上に１又は複数のオブジェクトを表示するとき、１又は複数のオブジェクトのうちの対象オブジェクトの表示形態には２つの表示モードがある。２つの表示モードについて、図５〜図７を参照して説明する。図４は、２つの表示モードの画面表示例を示す図である。図６及び図７は、それぞれの表示モードにおいて、背景をスライドした場合の画面遷移例を示す図である。以下では、複数のアイコン５２を表示したホーム画面（背景）に表示している状態で、テレビ放送映像を表示するミニテレビ５０を重畳して表示し、当該ミニテレビ５０が対象オブジェクトである場合を例に挙げて説明する。
【００４０】
１つ目の表示モードは、ミニテレビホームモード（第１のモード）である。このモードでは、図５の（ａ）に示すように、テレビ放送映像を表示するミニテレビ５０がホーム画面における所定の場所５５に固定して表示されている。そのため、ミニテレビホームモードにおいて、図６の（ａ）に示すホーム画面から、図６の（ｂ）に示す次のホーム画面へスライドすると、ミニテレビ５０の表示が停止され、ミニテレビ５０はホーム画面上には表示されない。
【００４１】
具体的には、ミニテレビ５０が固定表示されているホーム画面から次のホーム画面へユーザがスライドすると、入力受付部１６は、ユーザによる入力を受け付ける。タッチ検出部１５は、入力受付部１６が入力を受け付けると、ユーザによるタッチ位置を検出すると共に、タッチ位置の変化から、ユーザがスライド操作をしたことを判定する。
【００４２】
タッチ検出部１５は、表示部１８に表示されている画像を参照して、ユーザがホーム画面をスライドしたことを判定する。これに基づき、タッチ検出部１５は、ユーザがホーム画面をスライドしたことを示すタッチ情報をホームアプリ実行部１３に通知する。
【００４３】
ホームアプリ実行部１３は、タッチ検出部１５からの通知に基づき、次のホーム画面の表示を行うように表示処理部１４に指示すると共に、テレビアプリ実行部１２にミニテレビ５０の表示を停止するように指示する。テレビアプリ実行部１２は、ホームアプリ実行部１３からの指示に基づき、ミニテレビ５０の表示を停止するように表示処理部１４に指示する。表示処理部１４は、テレビアプリ実行部１２及びホームアプリ実行部１３からの指示に基づき、次のホーム画面を表示部１８に表示させ、ミニテレビ５０の表示を停止させる。
【００４４】
２つ目の表示モードは、ミニテレビフリーモード（第２のモード）である。このモードでは、図５の（ｂ）に示すように、ミニテレビ５０がホーム画面における所定の場所５５に固定されておらず、表示部１８の表示領域に対して固定して表示されている。そのため、ミニテレビフリーモードにおいて、図７の（ａ）に示すホーム画面から、図７の（ｂ）に示す次のホーム画面へスライドしても、ホーム画面がスライドされたか否かに関わらず、ミニテレビ５０はホーム画面上に表示されている。
【００４５】
具体的には、現在のホーム画面から次のホーム画面へユーザがスライドすると、入力受付部１６は、ユーザによる入力を受け付ける。タッチ検出部１５は、入力受付部１６が入力を受け付けると、ユーザによるタッチ位置を検出すると共に、タッチ位置の変化から、ユーザがスライド操作をしたことを判定する。
【００４６】
タッチ検出部１５は、表示部１８に表示されている画像を参照して、ユーザがホーム画面をスライドしたことを判定する。これに基づき、タッチ検出部１５は、ユーザがホーム画面をスライドしたことを示すタッチ情報をホームアプリ実行部１３に通知する。
【００４７】
ホームアプリ実行部１３は、タッチ検出部１５からの通知に基づき、次のホーム画面の表示を行うように表示処理部１４に指示する。このとき、テレビアプリ実行部１２は、ミニテレビ５０をミニテレビフリーモードで表示しているため、ホームアプリ実行部１３からのミニテレビ５０の表示指示又は表示停止指示の有無に関係なく、ミニテレビ５０を表示し続ける。そのため、表示処理部１４は、次のホーム画面にミニテレビ５０を重畳した画面を表示部１８に表示させる。
【００４８】
ミニテレビホームモードは、テレビを重点的に視聴したい場合に好適な表示モードであり、ミニテレビフリーモードは、他のアプリケーションを使用しながらテレビを視聴したい場合に好適な表示モードである。この２つの表示モードは、所望のタイミングで切り替え可能になっている。
【００４９】
また、ミニテレビホームモードでは、所定の場所５５にミニテレビ５０が固定されているので、ホーム画面（背景）の画像を所定の場所５５に合わせて作成しておき、ミニテレビ５０とホーム画面（背景）とがマッチした表示デザインを実現することもできる。
【００５０】
（モード切り替え−１）
以下では、２つの表示モードの切り替え方法について説明する。まず、ミニテレビホームモードからミニテレビフリーモードへの切り替えを、図８及び図９を参照して説明する。図８は、ミニテレビホームモードからミニテレビフリーモードへの切り替え時の画面遷移例を示す図であり、図９は、ミニテレビホームモードからミニテレビフリーモードへの切り替え手順を示すフロー図である。
【００５１】
ミニテレビホームモードからミニテレビフリーモードへの切り替えを行う場合、ユーザは、ホーム画面上のミニテレビ５０を移動させる操作を入力する。ミニテレビ５０を移動させる操作とは、例えば入力受付部１６がタッチパネルの場合は、ホーム画面上のミニテレビ５０を長押しする操作等であり、入力受付部１６がマウスの場合は、マウスでミニテレビ５０をドラッグする操作、又はマウスを操作（例えば、右クリック等）することによって呼び出したポップアップメニューからミニテレビ５０を移動させるコマンドを選択する操作等である。
【００５２】
以下では、ホーム画面上のミニテレビ５０を移動させる操作の一例として、ユーザがホーム画面上のミニテレビ５０を長押しする場合を例に挙げて説明する（図８の（ａ））。ユーザがホーム画面上のミニテレビ５０を長押しすると、入力受付部１６は、ユーザによる入力を受け付ける。タッチ検出部１５は、入力受付部１６が入力を受け付けると、ユーザによるタッチ位置を検出すると共に、ユーザによるタッチ位置の変化及びタッチ時間等を算出し、ユーザ操作の内容を判定する。
【００５３】
タッチ検出部１５は、表示部１８に表示されている画像（すなわち、ホームアプリ実行部１３から供給されたホーム画面に、テレビアプリ実行部１２から供給された放送映像を重畳した画像）を参照して、ユーザがホーム画面上のミニテレビ５０を選択したことを判定する（ステップＳ１１；以下、Ｓ１１と略記する）。
【００５４】
さらに、タッチ検出部１５は、ユーザによるタッチ位置の変化及びタッチ時間等に基づき、ユーザが同一箇所を所定時間以上タッチしている場合、ユーザがホーム画面上のミニテレビ５０を所定時間以上選択している（Ｓ１２，ＹＥＳ）、すなわちユーザがミニテレビ５０を長押ししたと判定する。これに基づき、タッチ検出部１５は、ユーザがミニテレビ５０を長押ししたことを示すタッチ情報をテレビアプリ実行部１２に通知する。
【００５５】
テレビアプリ実行部１２は、タッチ検出部１５からの通知に基づき、表示モードをミニテレビフリーモードへ切り替える。
【００５６】
具体的には、テレビアプリ実行部１２は、ホーム画面上でミニテレビ５０が所定の場所５５から外れる動作を表示するように表示処理部１４に指示する。表示処理部１４は、テレビアプリ実行部１２からの指示に基づき、ホーム画面上でミニテレビ５０が所定の場所５５から外れる動作を表示部１８に表示させる（図８の（ｂ））。
【００５７】
これと同時に、ユーザは、ミニテレビ５０を選択した状態でミニテレビ５０をドラッグすることが可能となる。ユーザがミニテレビ５０をドラッグすると、入力受付部１６は、ユーザによる入力を受け付ける。タッチ検出部１５は、入力受付部１６が入力を受け付けると、ユーザによるタッチ位置を検出すると共に、ユーザによるタッチ位置の変化及びタッチ時間等を算出し、ユーザ操作の内容を判定する。
【００５８】
タッチ検出部１５は、表示部１８に表示されている画像を参照して、タッチ位置の変化に基づき、ホーム画面上でユーザがミニテレビ５０をドラッグしたことを判定すると共に、ホーム画面上におけるユーザによるドラッグの軌跡を判定する。これに基づき、タッチ検出部１５は、ホーム画面上でユーザがミニテレビ５０をドラッグしたことを示す情報と、ホーム画面上におけるユーザによるドラッグの軌跡の情報とを含むタッチ情報をテレビアプリ実行部１２に通知する。
【００５９】
テレビアプリ実行部１２は、タッチ検出部１５からの通知に基づき、ホーム画面上でユーザによるドラッグの軌跡に沿ってミニテレビ５０がドラッグされる動作を表示するように表示処理部１４に指示する。
【００６０】
表示処理部１４は、テレビアプリ実行部１２からの指示に基づき、ホーム画面上でユーザによるドラッグの軌跡に沿ってミニテレビ５０がドラッグされる動作を表示部１８に表示させる。このようにして、ミニテレビフリーモードに移行すると、ミニテレビ５０をホーム画面上の所望の位置に移動することができる（図８の（ｃ））。
【００６１】
以上のように、ミニテレビ５０を長押しするだけでミニテレビホームモードからミニテレビフリーモードへ切り替えることができる。したがって、本実施形態に係る表示装置１では、ユーザは簡単な動作でモード切り替えを行うことができる。
【００６２】
（モード切り替え−２）
続いて、ミニテレビフリーモードからミニテレビホームモードへの切り替えを、図１０及び図１１を参照して説明する。図１０は、ミニテレビフリーモードからミニテレビホームモードへの切り替え時の画面遷移例を示す図であり、図１１は、ミニテレビフリーモードからミニテレビホームモードへの切り替え手順を示すフロー図である。
【００６３】
ミニテレビフリーモードからミニテレビホームモードへの切り替えを行う場合、ユーザは、ホーム画面上のミニテレビ５０を移動させる操作を入力する。以下では、ホーム画面上のミニテレビ５０を移動させる操作の一例として、ユーザがホーム画面上のミニテレビ５０をタッチしてドラッグする場合を例に挙げて説明する（図１０の（ａ））。ユーザがホーム画面上のミニテレビ５０をタッチすると、入力受付部１６は、ユーザによる入力を受け付ける。タッチ検出部１５は、入力受付部１６が入力を受け付けると、ユーザによるタッチ位置を検出すると共に、ユーザによるタッチ位置の変化及びタッチ時間等を算出し、ユーザ操作の内容を判定する。
【００６４】
タッチ検出部１５は、表示部１８に表示されている画像（すなわち、ホームアプリ実行部１３から供給されたホーム画面に、テレビアプリ実行部１２から供給された放送映像を重畳した画像）を参照して、ユーザがホーム画面上のミニテレビ５０を選択したことを判定する（Ｓ２１）。
【００６５】
さらに、タッチ検出部１５は、ユーザによるタッチ位置の変化に基づき、ホーム画面上でユーザがミニテレビ５０をドラッグしたことを判定すると共に（Ｓ２２）、ホーム画面上におけるユーザによるドラッグの軌跡を判定する。これに基づき、タッチ検出部１５は、ホーム画面上でユーザがミニテレビ５０をドラッグしたことを示す情報と、ホーム画面上におけるユーザによるドラッグの軌跡の情報とを含むタッチ情報をテレビアプリ実行部１２に通知する。
【００６６】
テレビアプリ実行部１２は、タッチ検出部１５からの通知に基づき、ホーム画面上でユーザによるドラッグの軌跡に沿ってミニテレビ５０がドラッグされる動作を表示するように表示処理部１４に指示する。表示処理部１４は、テレビアプリ実行部１２からの指示に基づき、ホーム画面上でユーザによるドラッグの軌跡に沿ってミニテレビ５０がドラッグされる動作を表示部１８に表示させる（図１０の（ｂ））。
【００６７】
このとき、テレビアプリ実行部１２は、ミニテレビ５０をホーム画面における所定の領域６５内に移動する操作をユーザから受けているか否かを判定する。所定の領域６５とは、所定の場所５５及び当該所定の場所５５の所定の周辺領域を含む領域である。なお、所定の領域６５の位置情報（例えば、座標情報）は、ホームアプリ実行部１３からテレビアプリ実行部１２に事前に通知されている。
【００６８】
ユーザによるドラッグ終了時のミニテレビ５０の位置がホーム画面における所定の領域６５内にある場合は、テレビアプリ実行部１２は、ミニテレビ５０をホーム画面における所定の領域６５内に移動する操作をユーザから受けていると判定する。テレビアプリ実行部１２が、ミニテレビ５０をホーム画面における所定の領域６５内に移動する操作をユーザから受けていると判定すると（Ｓ２３，ＹＥＳ）、テレビアプリ実行部１２は、表示モードをミニテレビホームモードへ切り替える。
【００６９】
具体的には、テレビアプリ実行部１２は、ミニテレビ５０がホーム画面上の所定の場所５５に吸い込まれるようにして嵌まる動作を表示するように表示処理部１４に指示する。表示処理部１４は、テレビアプリ実行部１２からの指示に基づき、ミニテレビ５０がホーム画面上の所定の場所５５に吸い込まれるようにして嵌まる動作を表示部１８に表示させる（図１０の（ｃ））。
【００７０】
以上のように、ミニテレビ５０を所定の領域６５内へ移動させるだけでミニテレビフリーモードからミニテレビホームモードへ切り替えることができる。したがって、本実施形態に係る表示装置１では、ユーザは簡単な動作でモード切り替えを行うことができる。
【００７１】
なお、テレビアプリ実行部１２は、現在の表示モードの情報を例えばメモリ１７に記憶させており、テレビアプリ実行部１２及びホームアプリ実行部１３は、メモリ１７に記憶されている表示モードの情報を参照して、現在の表示モードを認識すればよい。
【００７２】
以上では、ミニテレビ５０を実際にドラッグして移動させる構成を示したが、本発明は必ずしもこれに限定されるわけではない。例えば、ユーザがホーム画面上のミニテレビ５０を移動させる操作を入力すると、テレビアプリ実行部１２がミニテレビ５０に対応する枠線（例えば、点線等で表示される枠線）を表示処理部１４に表示させ、枠線をユーザが所望の位置にドラッグしてドラッグを終了させることにより、ドラッグ終了時の枠線の位置にミニテレビ５０を表示させてもよい。
【００７３】
この場合、ユーザが枠線を所定の領域６５内へドラッグしてドラッグを終了させると、ユーザが枠線のドラッグを終了した時点でミニテレビフリーモードからミニテレビホームモードへと切り替わると同時に、所定の場所５５にミニテレビ５０が表示される。
【００７４】
（付帯構成）
以下では、表示装置１が備え得る付帯構成について説明する。
【００７５】
＜付帯構成−１＞
全画面表示のアプリケーションを実行中に表示装置１のホーム画面を表示させる操作が行われた場合、ミニテレビ５０の表示モードは、アプリケーションを実行前の表示モードから変化しないことが好ましい。ホーム画面を表示させる操作とは、例えばホーム画面を表示させるホームボタンを押す操作等である。これについて、ホーム画面を表示させる操作としてホーム画面を表示させるホームボタンを押す操作を行った場合を例に挙げて、図１２及び図１３を参照して説明する。図１２及び図１３は、それぞれの表示モードにおいて、全画面表示のアプリケーション実行中に表示装置１のホームボタンを押したときの画面遷移例を示す図である。
【００７６】
≪ミニテレビホームモード≫
図１２の（ａ）に示すように、全画面表示のアプリケーション実行中にホームボタンを押すと、アプリケーションを実行前に表示部１８に表示されていたホーム画面に戻る。このとき、表示装置１では、アプリケーション実行前の表示モードがミニテレビホームモードであれば、ミニテレビホームモードのままアプリケーション実行前に表示部１８に表示されていたホーム画面に戻る。
【００７７】
例えば、ミニテレビ５０が固定表示されているホーム画面からアプリケーションを実行した場合、ユーザがホームボタンを押すと、入力受付部１６は、ユーザによる入力を受け付ける。タッチ検出部１５は、入力受付部１６が入力を受け付けると、ユーザによるタッチ位置を検出する。
【００７８】
タッチ検出部１５は、表示部１８に表示されている画像を参照して、ユーザがホームボタンを押したと判定する。これに基づき、タッチ検出部１５は、ユーザがホームボタンを押したことを示すタッチ情報を、当該ホームボタンの操作対象（例えば、実行中のアプリケーションの実行部）に通知する。なお、ホームボタンがホーム画面上に表示されておらず、表示装置１の枠等にハードウェア的なホームボタンとして搭載されている場合もある。この場合は、ホームボタンが押下された旨の情報が、当該ホームボタンの操作対象に通知される。
【００７９】
ホームボタンの操作対象は、タッチ検出部１５からの通知に基づき、実行前のホーム画面（すなわち、ミニテレビ５０が固定表示されるホーム画面）の表示を行うようにホームアプリ実行部１３に指示する。これに基づき、ホームアプリ実行部１３は、実行前のホーム画面（すなわち、ミニテレビ５０が固定表示されるホーム画面）の表示を行うように表示処理部１４に指示すると共に、テレビアプリ実行部１２にミニテレビ５０を表示するように指示する。
【００８０】
テレビアプリ実行部１２は、ホームアプリ実行部１３からの指示に基づき、ホームアプリ実行部１３のホーム画面にミニテレビ５０を重畳して表示するように表示処理部１４を指示する。なお、アプリケーション実行前に表示部１８が表示していた画面、及び現在の表示モードの情報は、例えばメモリ１７に記憶されているものとする。
【００８１】
表示処理部１４は、テレビアプリ実行部１２及びホームアプリ実行部１３からの指示に基づき、アプリケーション実行前のホーム画面にミニテレビ５０を重畳した画面を表示部１８に表示させる。このようにして、図１２の（ｂ）に示すように、ホーム画面にミニテレビ５０が固定表示されたホーム画面に戻る。
【００８２】
なお、後述する「付帯構成−６」のように、ミニテレビ５０をホーム画面上に表示するか否かをユーザが選択可能になっており、ミニテレビ５０をホーム画面上に表示しない設定に設定されている場合は、ホームアプリ実行部１３は、アプリケーション実行前のホーム画面の表示を行うように表示処理部１４に指示するが、テレビアプリ実行部１２には、ミニテレビ５０を表示するように指示しない。
【００８３】
一方、ミニテレビ５０が固定表示されているホーム画面とは別のホーム画面からアプリケーションを実行した場合、ユーザがホームボタンを押すと、入力受付部１６は、ユーザによる入力を受け付ける。タッチ検出部１５は、入力受付部１６が入力を受け付けると、ユーザによるタッチ位置を検出する。
【００８４】
タッチ検出部１５は、表示部１８に表示されている画像を参照して、ユーザがホームボタンを押したと判定する。これに基づき、タッチ検出部１５は、ユーザがホームボタンを押したことを示すタッチ情報を、当該ホームボタンの操作対象（例えば、実行中のアプリケーションの実行部）に通知する。なお、ホームボタンがハードウェア的なホームボタンとして搭載されている場合は、当該ホームボタンが押下された旨の情報が、当該ホームボタンの操作対象に通知される。
【００８５】
ホームボタンの操作対象は、タッチ検出部１５からの通知に基づき、アプリケーション実行前のホーム画面（すなわち、ミニテレビ５０が固定表示されていないホーム画面）の表示を行うようにホームアプリ実行部１３に指示する。この場合、ホームアプリ実行部１３は、アプリケーション実行前のホーム画面（すなわち、ミニテレビ５０が固定表示されていないホーム画面）の表示を行うように表示処理部１４に指示するが、アプリケーション実行前のホーム画面にはミニテレビ５０が固定表示されていないため、テレビアプリ実行部１２には、ミニテレビ５０を表示するように指示もしない。
【００８６】
表示処理部１４は、ホームアプリ実行部１３からの指示に基づき、アプリケーション実行前のホーム画面を表示部１８に表示させる。このようにして、図１２の（ｃ）に示すように、ホーム画面にミニテレビ５０が固定表示されていないホーム画面に戻る。これにより、アプリケーションを終了させた場合でも、アプリケーション実行前の表示モードを維持することができる。
【００８７】
≪ミニテレビフリーモード≫
図１３の（ａ）に示すように、ミニテレビ５０がミニテレビフリーモードで表示されている状態で全画面表示のアプリケーション実行中にホームボタンを押すと、表示装置１では、アプリケーション実行前の表示モードがミニテレビフリーモードであれば、ミニテレビフリーモードのままアプリケーション実行前に表示部１８に表示されていたホーム画面に戻る。
【００８８】
例えば、全画面表示のアプリケーションを実行中にユーザがホームボタンを押すと、入力受付部１６は、ユーザによる入力を受け付ける。タッチ検出部１５は、入力受付部１６が入力を受け付けると、ユーザによるタッチ位置を検出する。
【００８９】
タッチ検出部１５は、表示部１８に表示されている画像を参照して、ユーザがホームボタンを押したと判定する。これに基づき、タッチ検出部１５は、ユーザがホームボタンを押したことを示すタッチ情報を、当該ホームボタンの操作対象（例えば、実行中のアプリケーションの実行部）に通知する。なお、ホームボタンがハードウェア的なホームボタンとして搭載されている場合は、当該ホームボタンが押下された旨の情報が、当該ホームボタンの操作対象に通知される。
【００９０】
ホームボタンの操作対象は、タッチ検出部１５からの通知に基づき、アプリケーション実行前のホーム画面の表示を行うようにホームアプリ実行部１３に指示する。この場合、ホームアプリ実行部１３は、アプリケーション実行前のホーム画面の表示を行うように表示処理部１４に指示するが、アプリケーション実行中も表示画面上にはミニテレビ５０が表示されているため、テレビアプリ実行部１２は、表示処理部１４に何の指示もしない。その結果、表示画面にはミニテレビ５０がそのまま表示されることになる。
【００９１】
表示処理部１４は、テレビアプリ実行部１２からの指示に基づき、アプリケーション実行前のホーム画面にミニテレビ５０を重畳した画面を表示部１８に表示させる。このようにして、図１３の（ｂ）及び（ｃ）に示すように、ホーム画面にミニテレビ５０が表示されたホーム画面に戻る。これにより、アプリケーションを終了させた場合でも、アプリケーション実行前の表示モードを維持することができる。
【００９２】
＜付帯構成−２＞
ミニテレビホームモード及びミニテレビフリーモードそれぞれにおいて、ホーム画面上に表示されたミニテレビ５０をタップしたときの動作を変えることもできる。これについて、図１４及び図１５を参照して説明する。図１４及び図１５は、それぞれの表示モードにおいて、ホーム画面上に表示されたミニテレビ５０をタップしたときの画面遷移例を示す図である。
【００９３】
≪ミニテレビホームモード≫
ミニテレビホームモードにおいて、図１４の（ａ）に示すように、ホーム画面上に表示されたミニテレビ５０をユーザがタップすると、入力受付部１６は、ユーザによる入力を受け付ける。タッチ検出部１５は、入力受付部１６が入力を受け付けると、ユーザによるタッチ位置を検出する。
【００９４】
タッチ検出部１５は、表示部１８に表示されている画像を参照して、ユーザがホーム画面上のミニテレビ５０をタップしたと判定する。これに基づき、タッチ検出部１５は、ユーザがホーム画面上のミニテレビ５０をタップしたことを示すタッチ情報をテレビアプリ実行部１２に通知する。
【００９５】
テレビアプリ実行部１２は、タッチ検出部１５からの通知に基づき、テレビ放送映像を全画面表示するように表示処理部１４に指示する。表示処理部１４は、テレビアプリ実行部１２からの指示に基づき、表示部１８にテレビ放送映像を全画面表示させる。
【００９６】
このように、ミニテレビホームモードにおいて、ホーム画面上に表示されたミニテレビ５０をタップした場合には、図１４の（ｂ）に示すように、テレビ放送映像５０’を全画面表示する設定にすることができる。
【００９７】
≪ミニテレビフリーモード≫
ミニテレビフリーモードにおいて、図１５の（ａ）に示すように、ホーム画面上に表示されたミニテレビ５０をユーザがタップすると、入力受付部１６は、ユーザによる入力を受け付ける。タッチ検出部１５は、入力受付部１６が入力を受け付けると、ユーザによるタッチ位置を検出する。
タッチ検出部１５は、表示部１８に表示されている画像を参照して、ユーザがホーム画面上のミニテレビ５０をタップしたと判定する。これに基づき、タッチ検出部１５は、ユーザがホーム画面上のミニテレビ５０をタップしたことを示すタッチ情報をテレビアプリ実行部１２に通知する。
【００９８】
テレビアプリ実行部１２は、タッチ検出部１５からの通知に基づき、ミニテレビ５０上にミニテレビ用の操作パネルを表示するように表示処理部１４に指示する。表示処理部１４は、テレビアプリ実行部１２からの指示に基づき、ミニテレビ５０上にミニテレビ用の操作パネルを表示部１８に表示させる。
【００９９】
このように、ミニテレビフリーモードにおいて、ホーム画面上に表示されたミニテレビ５０をタップした場合には、図１５の（ｂ）に示すように、ミニテレビ５０上にミニテレビ用の操作パネルを表示する設定にすることができる。本図では、ミニテレビ用の操作パネルとして、全画面表示に切り替えるための切替ボタン、及びチャンネル送り／戻りを行うための選局ボタンが表示されているパネル５０ａと、ミニテレビ５０を閉じるための閉ボタンが表示されているパネル５０ｂとが表示されている。
【０１００】
＜付帯構成−３＞
ミニテレビホームモード及びミニテレビフリーモードそれぞれにおいて、ホーム画面上に表示されたアイコンフォルダを展開又は拡大したときの動作を変えることもできる。これについて、図１６及び図１７を参照して説明する。図１６及び図１７は、それぞれの表示モードにおいて、ホーム画面上に表示されたアイコンフォルダをタップしたときの画面遷移例を示す図である。なお、アイコンフォルダとは、複数のアイコンをまとめて格納しているフォルダであり、ホーム画面上では、例えば他のアイコン１個と同じサイズで表示される。ただし、アイコンフォルダのサイズはこれに限定されず、他のアイコンよりも大きい又は小さいサイズであってもよい。
【０１０１】
≪ミニテレビホームモード≫
図１６の（ａ）に示すように、ホーム画面上に表示されたアイコンフォルダ５３を展開又は拡大する操作を入力すると、図１６の（ｂ）に示すように、アイコンフォルダ５３が展開又は拡大されたアイコンフォルダ５３’が表示される。このとき、表示装置１では、展開又は拡大したアイコンフォルダ５３’の少なくとも一部が、ミニテレビ５０の少なくとも一部と重なる場合は、ミニテレビ５０の表示を停止して、アイコンフォルダ５３’を優先して表示する。以下では、ホーム画面上のアイコンフォルダ５３を展開又は拡大する操作の一例として、ユーザがホーム画面上のアイコンフォルダ５３をタップする場合を例に挙げて説明する。
【０１０２】
ホーム画面上に表示されたアイコンフォルダ５３をユーザがタップすると、入力受付部１６は、ユーザによる入力を受け付ける。タッチ検出部１５は、入力受付部１６が入力を受け付けると、ユーザによるタッチ位置を検出する。
【０１０３】
タッチ検出部１５は、表示部１８に表示されている画像を参照して、ユーザがホーム画面上のアイコンフォルダ５３をタップしたと判定する。これに基づき、タッチ検出部１５は、ユーザがホーム画面上のアイコンフォルダ５３をタップしたことを示すタッチ情報をホームアプリ実行部１３に通知する。
【０１０４】
ホームアプリ実行部１３は、アイコンフォルダ５３を展開又は拡大したアイコンフォルダ５３’の少なくとも一部が、ホーム画面上のミニテレビ５０（すなわち、ホーム画面上における所定の場所５５）の少なくとも一部に重なるか否かを判定する。アイコンフォルダ５３’の少なくとも一部がミニテレビ５０の少なくとも一部と重なる場合、ホームアプリ実行部１３は、アイコンフォルダ５３’をホーム画面上に表示するように表示処理部１４に指示すると共に、テレビアプリ実行部１２にミニテレビ５０の表示を停止するように指示する。
【０１０５】
表示処理部１４は、テレビアプリ実行部１２及びホームアプリ実行部１３からの指示に基づき、ホーム画面上にアイコンフォルダ５３’を表示部１８に表示させ、ミニテレビ５０の表示を停止させる。この構成によれば、展開又は拡大されたオブジェクトと、ミニテレビ５０とが重畳する場合でも、展開又は拡大されたオブジェクトを何ら問題なく視認することができる。
【０１０６】
なお、アイコンフォルダ５３’がミニテレビ５０と重ならない場合、ホームアプリ実行部１３は、アイコンフォルダ５３’をホーム画面上に表示するように表示処理部１４に指示するのみでよい。この場合、ミニテレビ５０はそのまま表示され続ける。
【０１０７】
≪ミニテレビフリーモード≫
図１７の（ａ）に示すように、ユーザがホーム画面上に表示されたアイコンフォルダ５３を展開又は拡大する操作を入力すると、図１７の（ｂ）に示すように、アイコンフォルダ５３が展開又は拡大されたアイコンフォルダ５３’が表示される。このとき、表示装置１では、展開又は拡大したアイコンフォルダ５３’の少なくとも一部がミニテレビ５０の少なくとも一部と重なるか否かに関わらず、ミニテレビ５０を表示し続ける。このとき、ミニテレビ５０を表示するプレーンは、ホーム画面を表示するプレーンよりも上位のプレーンとなっているため、表示部１８には、ミニテレビ５０がアイコンフォルダ５３’よりも優先して表示されることになる。以下では、ホーム画面上のアイコンフォルダ５３を展開又は拡大する操作の一例として、ユーザがホーム画面上のアイコンフォルダ５３をタップする場合を例に挙げて説明する。
ホーム画面上に表示されたアイコンフォルダ５３をユーザがタップすると、ミニテレビホームモードの場合と同様に、タッチ検出部１５は、ユーザがホーム画面上のアイコンフォルダ５３をタップしたと判定する。これに基づき、タッチ検出部１５は、ユーザがホーム画面上のアイコンフォルダ５３をタップしたことを示すタッチ情報をホームアプリ実行部１３に通知する。
【０１０８】
ホームアプリ実行部１３は、タッチ検出部１５からの通知に基づき、アイコンフォルダ５３を展開又は拡大したアイコンフォルダ５３’をホーム画面上に表示するように表示処理部１４に指示する。このとき、テレビアプリ実行部１２は、ミニテレビ５０をミニテレビフリーモードで表示しているため、ホームアプリ実行部１３からのミニテレビ５０の表示指示又は表示停止指示の有無に関係なく、ミニテレビ５０を表示し続ける。
【０１０９】
そのため、表示処理部１４は、ホームアプリ実行部１３からの指示に基づき、ホーム画面上にアイコンフォルダ５３’を表示部１８に表示させるが、上述したように、ミニテレビ５０を表示するプレーンは、ホーム画面を表示するプレーンよりも上位のプレーンとなっているため、表示部１８には、ミニテレビ５０がアイコンフォルダ５３’よりも優先して表示されることになる。この構成によれば、展開又は拡大されたオブジェクトと、ミニテレビ５０とが重畳する場合は、ミニテレビ５０を移動させればよいので、ミニテレビ５０を展開又は拡大されたオブジェクトよりも優先して表示しても何ら問題ない。
【０１１０】
なお、本動作は、表示部１８上でミニテレビ５０の表示を停止するときに、テレビ音声の出力を停止してもよいし、テレビ音声の出力を継続してもよい。
【０１１１】
＜付帯構成−４＞
ミニテレビホームモード及びミニテレビフリーモードそれぞれにおいて、ホーム画面上に表示されたアイコンを移動させたときの動作を変えることもできる。これについて、図１８及び図１９を参照して説明する。図１８及び図１９は、それぞれの表示モードにおいて、ホーム画面上に表示されたアイコンを移動させたときの画面遷移例を示す図である。
【０１１２】
≪ミニテレビホームモード≫
表示装置１では、ユーザがホーム画面上のミニテレビ５０を移動させる操作を入力すると、ミニテレビ５０の表示を停止して、アイコン５４を優先して表示する。以下では、ホーム画面上のミニテレビ５０を移動させる操作の一例として、ユーザがホーム画面上のミニテレビ５０を長押しする場合を例に挙げて説明する（図１８の（ａ））。ホーム画面上に表示されたアイコン５４をユーザが長押しすると、入力受付部１６は、ユーザによる入力を受け付ける。タッチ検出部１５は、ユーザによるタッチ位置を検出すると共に、ユーザによるタッチ位置の変化及びタッチ時間等を算出し、ユーザ操作の内容を判定する。
【０１１３】
タッチ検出部１５は、表示部１８に表示されている画像を参照して、ユーザがホーム画面上のアイコン５４を選択したことを判定する。
【０１１４】
さらに、タッチ検出部１５は、ユーザによるタッチ位置の変化及びタッチ時間等に基づき、ユーザが同一箇所を所定時間以上タッチしている場合、ユーザがホーム画面上のアイコン５４を所定時間以上選択している、すなわちユーザがアイコン５４を長押ししたと判定する。これに基づき、タッチ検出部１５は、ユーザがアイコン５４を長押ししたことを示すタッチ情報をホームアプリ実行部１３に通知する。
【０１１５】
ホームアプリ実行部１３は、タッチ検出部１５からの通知に基づき、テレビアプリ実行部１２にミニテレビ５０の表示を停止するように指示する。テレビアプリ実行部１２は、ミニテレビ５０の表示を停止するように表示処理部１４に指示する。
【０１１６】
その後、ユーザは、アイコン５４を選択した状態でアイコン５４をドラッグすることが可能となるので、ホームアプリ実行部１３は、ホーム画面上でユーザによるドラッグの軌跡に沿ってアイコン５４がドラッグされる動作を表示処理部１４に表示させる（図１８の（ｂ））。
【０１１７】
表示処理部１４は、テレビアプリ実行部１２及びホームアプリ実行部１３からの指示に基づき、ホーム画面上でユーザによるドラッグの軌跡に沿ってアイコン５４がドラッグされる動作を表示部１８に表示させ、ミニテレビ５０の表示を停止させる。この構成によれば、オブジェクトを移動中にミニテレビ５０と重畳した場合でも、移動中のオブジェクトを何ら問題なく視認することができる。
【０１１８】
≪ミニテレビフリーモード≫
表示装置１では、ユーザがホーム画面上のミニテレビ５０を移動させる操作を入力すると、アイコン５４が移動中にミニテレビ５０に重なった場合でも、ミニテレビ５０を表示し続ける。このとき、ミニテレビ５０を表示するプレーンは、ホーム画面を表示するプレーンよりも上位のプレーンとなっているため、表示部１８には、アイコン５４が移動中にミニテレビ５０に重なった場合でも、ミニテレビ５０が優先して表示されることになる。以下では、ホーム画面上のミニテレビ５０を移動させる操作の一例として、ユーザがホーム画面上のミニテレビ５０を長押しする場合を例に挙げて説明する（図１８の（ａ））。
【０１１９】
ホーム画面上に表示されたアイコン５４をユーザが長押しすると、ミニテレビホームモードの場合と同様に、タッチ検出部１５は、ユーザがアイコン５４を長押ししたと判定する。これに基づき、タッチ検出部１５は、ユーザがアイコン５４を長押ししたことを示すタッチ情報をホームアプリ実行部１３に通知する。
【０１２０】
ホームアプリ実行部１３は、タッチ検出部１５からの通知に基づき、ホーム画面上でユーザによるドラッグの軌跡に沿ってアイコン５４がドラッグされる動作を表示するように表示処理部１４に指示する。このとき、テレビアプリ実行部１２は、ミニテレビ５０をミニテレビフリーモードで表示しているため、ホームアプリ実行部１３からのミニテレビ５０の表示指示又は表示停止指示の有無に関係なく、ミニテレビ５０を表示し続ける。
【０１２１】
そのため、表示処理部１４は、ホームアプリ実行部１３からの指示に基づき、ホーム画面上でユーザによるドラッグの軌跡に沿ってアイコン５４がドラッグされる動作を表示部１８に表示させるが、上述したように、ミニテレビ５０を表示するプレーンは、ホーム画面を表示するプレーンよりも上位のプレーンとなっているため、表示部１８には、アイコン５４が移動中にミニテレビ５０に重なった場合でも、ミニテレビ５０が優先して表示される。この構成によれば、オブジェクトの移動の際にミニテレビ５０と重畳するような場合は、ミニテレビ５０を予め移動させればよいので、ミニテレビ５０を移動中のオブジェクトよりも優先して表示しても何ら問題ない。
【０１２２】
なお、本動作は、表示部１８上でミニテレビ５０の表示を停止するときに、テレビ音声の出力を停止してもよいし、テレビ音声の出力を継続してもよい。
【０１２３】
＜付帯構成−５＞
アプリケーションを起動する操作を行ったときのミニテレビ５０の表示についても、ミニテレビホームモード及びミニテレビフリーモードそれぞれにおいて動作を変えることもできる。アプリケーションを起動する操作とは、例えばアプリケーションを起動するためのアイコンをユーザがタップする操作等である。これについて、アプリケーションを起動する操作としてアプリケーションを起動するためのアイコンをタップする操作を行った場合を例に挙げて、図２０及び図２１を参照して説明する。図２０及び図２１は、それぞれの表示モードにおいて、アプリケーションを起動したときの画面遷移例を示す図である。
【０１２４】
≪ミニテレビホームモード≫
ミニテレビホームモードにおいて、図２０の（ａ）に示すように、アプリケーションを起動するためのアイコン５２をユーザがタップすると、入力受付部１６は、ユーザによる入力を受け付ける。タッチ検出部１５は、入力受付部１６が入力を受け付けると、ユーザによるタッチ位置を検出する。
【０１２５】
タッチ検出部１５は、表示部１８に表示されている画像を参照して、ユーザがホーム画面上のアイコン５２をタップしたと判定する。これに基づき、ユーザがホーム画面上のアイコン５２をタップしたことを示すタッチ情報をホームアプリ実行部１３に通知する。
【０１２６】
ホームアプリ実行部１３は、タッチ検出部１５からの通知に基づき、アイコン５２に対応するアプリケーションプログラムをメモリ１７から読み出し、実行する。これと同時に、ホームアプリ実行部１３は、起動したアプリケーションの表示画面を表示するように表示処理部１４に指示すると共に、テレビアプリ実行部１２にミニテレビ５０の表示を停止するように指示する。テレビアプリ実行部１２は、ホームアプリ実行部１３からの指示に基づき、ミニテレビ５０の表示を停止するように表示処理部１４に指示する。
【０１２７】
表示処理部１４は、テレビアプリ実行部１２及びホームアプリ実行部１３からの指示に基づき、アプリケーションの表示画面を表示部１８に全画面表示させ、ミニテレビ５０の表示を停止させる。
【０１２８】
このように、ミニテレビホームモードにおいて、ホーム画面上に表示されたアイコン５２をタップしてアプリケーションを起動した場合には、図２０の（ｂ）に示すように、起動したアプリケーションの表示画面を全画面表示する設定にすることができる。この構成によれば、アプリケーションを起動した場合には、当該アプリケーションのみが表示されるため、アプリケーションを重点的に使用したい場合に好適である。
【０１２９】
≪ミニテレビフリーモード≫
ミニテレビフリーモードにおいて、図２１の（ａ）に示すように、アプリケーションを起動するためのアイコン５２をユーザがタップすると、入力受付部１６は、ユーザによる入力を受け付ける。タッチ検出部１５は、ユーザによるタッチ位置を検出する。
【０１３０】
タッチ検出部１５は、表示部１８に表示されている画像を参照して、ユーザがホーム画面上のアイコン５２をタップしたと判定する。これに基づき、ユーザがホーム画面上のアイコン５２をタップしたことを示すタッチ情報をホームアプリ実行部１３に通知する。
【０１３１】
ホームアプリ実行部１３は、タッチ検出部１５からの通知に基づき、アイコン５２に対応するアプリケーションプログラムをメモリ１７から読み出し、実行する。これと同時に、ホームアプリ実行部１３は、起動したアプリケーションの表示画面を表示するように表示処理部１４に指示する。このとき、テレビアプリ実行部１２は、ミニテレビ５０をミニテレビフリーモードで表示しているため、ホームアプリ実行部１３からのミニテレビ５０の表示指示又は表示停止指示の有無に関係なく、ミニテレビ５０を表示し続ける。そのため、表示処理部１４は、アプリケーションの表示画面にミニテレビ５０を重畳した画面を表示部１８に全画面表示させる。
【０１３２】
このように、ミニテレビフリーモードにおいて、ホーム画面上に表示されたアイコン５２をタップしてアプリケーションを起動した場合には、図２１の（ｂ）に示すように、起動したアプリケーションの表示画面にミニテレビ５０を重畳して全画面表示する設定にすることができる。この構成によれば、アプリケーションを起動した場合でも、ミニテレビ５０が一緒に表示されるため、アプリケーションを使用しながらミニテレビ５０を視聴したい場合に好適である。
【０１３３】
なお、本動作は、表示部１８上でミニテレビ５０の表示を停止するときに、テレビ音声の出力を停止することが好ましい。
【０１３４】
＜付帯構成−６＞
ミニテレビ５０をホーム画面上に表示するか否かをユーザが選択可能にしてもよい。例えば、表示装置１を初めて起動するとき等に、ミニテレビ５０の表示設定を選択できる選択メニューを表示してもよい。図２２に、ミニテレビ５０の表示設定を選択できる選択メニューの表示例を示す。図２３は、ミニテレビ５０の各表示設定に応じた画面表示例を示す図である。
【０１３５】
例えば、ホームアプリ実行部１３は、表示装置１を初めて起動するとき等に、ミニテレビ５０の表示設定を選択できる選択メニューをホーム画面上に表示するように表示処理部１４に指示する。表示処理部１４は、図２２に示すように、ホームアプリ実行部１３からの指示に基づき、ホーム画面上に選択メニューを表示部１８に表示させる。
【０１３６】
図２２では、ミニテレビ５０をホーム画面上の所定の場所５５に表示する（すなわち、ミニテレビホームモードで表示する）か、ホーム画面上に表示しないかを選択できる選択メニュー５６が表示されている。
【０１３７】
ホーム画面上にミニテレビ５０を表示させたい場合は選択ボタン５６ａを選択することにより、入力受付部１６は、ユーザによる入力を受け付ける。タッチ検出部１５は、ユーザによるタッチ位置を検出する。
【０１３８】
タッチ検出部１５は、表示部１８に表示されている画像を参照して、ユーザが選択ボタン５６ａを選択したと判定する。これに基づき、タッチ検出部１５は、ユーザが選択ボタン５６ａを選択したことを示すタッチ情報をホームアプリ実行部１３に通知する。
【０１３９】
ホームアプリ実行部１３は、タッチ検出部１５からの通知に基づき、ホーム画面を表示するように表示処理部１４に指示すると共に、テレビアプリ実行部１２にミニテレビ５０を表示するように指示する。テレビアプリ実行部１２は、ホームアプリ実行部１３からの指示に基づき、ホームアプリ実行部１３のホーム画面にミニテレビ５０を重畳して表示するように表示処理部１４を指示する。
【０１４０】
表示処理部１４は、テレビアプリ実行部１２及びホームアプリ実行部１３からの指示に基づき、ホーム画面にミニテレビ５０を重畳した画面を表示部１８に表示させる。その結果、図２３の（ａ）に示すように、ホーム画面上の所定の場所５５にはミニテレビ５０が表示される。
【０１４１】
また、ホーム画面上にミニテレビ５０を表示させない場合は選択ボタン５６ｂを選択することにより、入力受付部１６は、ユーザによる入力を受け付ける。タッチ検出部１５は、ユーザによるタッチ位置を検出する。
【０１４２】
タッチ検出部１５は、表示部１８に表示されている画像を参照して、ユーザが選択ボタン５６ｂを選択したと判定する。これに基づき、ユーザが選択ボタン５６ｂを選択したことを示すタッチ情報をホームアプリ実行部１３に通知する。
【０１４３】
ホームアプリ実行部１３は、タッチ検出部１５からの通知に基づき、ホーム画面を表示するように表示処理部１４に指示する。このとき、ホームアプリ実行部１３は、テレビアプリ実行部１２にミニテレビ５０を表示するように指示しない。そのため、表示処理部１４は、ホーム画面を表示部１８に表示させ、ミニテレビ５０を表示しない。その結果、図２３の（ｂ）に示すように、ホーム画面上にはミニテレビ５０が表示されない。ホームアプリ実行部１３は、ミニテレビ５０の表示設定（表示あり／表示なし）を記憶し、その後の表示では、その設定に従ってテレビアプリ実行部１２に各種の通知を行う。
【０１４４】
なお、図２２では、ミニテレビ５０をミニテレビホームモードで表示するか、ホーム画面上に表示しないかを選択できる選択メニュー５６を例に挙げたが、本発明は必ずしもこれに限定されるわけではない。例えば、選択ボタンの１つとして、ミニテレビ５０をミニテレビフリーモードで表示する選択ボタンを選択メニュー５６に追加してもよい。
【０１４５】
ここで、ホーム画面を表示している状態でミニテレビ５０の表示設定ができるようにしてもよい。例えば、表示部１８にホーム画面を表示しているときに、ホーム画面上でオブジェクトが配置されていない部分を長押する等の所定のタッチイベントが行われると、図２４に示すような、ミニテレビ５０を表示させるか否かを選択できる選択メニュー５７をホーム画面上に表示してもよい。
【０１４６】
また、選択メニュー５７でミニテレビ５０を表示する設定を選択したときには、図２５に示すような、ミニテレビ用のウィジェットを表示させるか否かを選択できる選択メニュー５８をホーム画面上に表示してもよい。テレビ用ウィジェットとは、図５に示したような、現在表示している放送番組の説明（番組名及びあらすじ等）を表示するウィジェット５１ａ、現在視聴可能な他の放送番組（所謂、裏番組）を表示するウィジェット５１ｂ等、ミニテレビ５０に付帯して表示するウィジェットである。
【０１４７】
＜付帯構成−７＞
付帯構成−６でミニテレビ５０の表示設定を選択できる構成を示したが、当該表示設定に応じて、新しいアプリケーションをダウンロードしたときの動作を変えることができる。これについて、図２６を参照して説明する。図２６は、各表示設定において、新しいアプリケーションをダウンロードしたときの画面表示例を示す図である。
【０１４８】
≪ミニテレビの表示設定あり≫
ミニテレビ５０の表示設定ありの場合、ユーザが新しいアプリケーションをダウンロードすると、ホームアプリ実行部１３は、新たにダウンロードしたアプリケーションのアイコンをホーム画面上に表示するように表示処理部１４に指示する。このとき、ホームアプリ実行部１３は、図２６の（ａ）に示すように、新たにダウンロードしたアプリケーションのアイコン５９を、ホーム画面上でミニテレビ５０に重ならない位置に表示するように表示処理部１４に指示する。
【０１４９】
表示処理部１４は、ホームアプリ実行部１３からの指示に基づき、新たにダウンロードしたアプリケーションのアイコン５９を、ミニテレビ５０に重ならない位置に表示部１８に表示させる。したがって、図２６の（ａ）中の位置５９’のように、ミニテレビ５０と重なる位置には、アイコン５９は配置されない。
【０１５０】
なお、図２６の（ａ）は、表示モードがミニテレビホームモードの場合であるが、ミニテレビフリーモード又はミニテレビ５０が表示されていない状態（ただし、ミニテレビ５０の表示設定はあり）の場合でも同様に動作する。したがって、ホームアプリ実行部１３は、図２６の（ｂ）に示すように、新たにダウンロードしたアプリケーションのアイコン５９を、ホーム画面上で所定の場所５５に重ならない位置に表示するように表示処理部１４に指示する。
【０１５１】
ミニテレビ５０の表示設定ありの場合は、ミニテレビ５０がホーム画面上の所定の場所５５に配置される可能性がある。そのため、アイコンを所定の場所５５外に配置することにより、ミニテレビ５０を所定の場所５５に配置した場合でも、ミニテレビ５０が当該アイコンと重なってしまうのを防ぐことができる。
【０１５２】
≪ミニテレビの表示設定なし≫
ミニテレビ５０の表示設定なしの場合、ユーザが新しいアプリケーションをダウンロードすると、ホームアプリ実行部１３は、新たにダウンロードしたアプリケーションのアイコンをホーム画面上に表示するように表示処理部１４に指示する。このとき、ホームアプリ実行部１３が、新たにダウンロードしたアプリケーションのアイコンをホーム画面上で表示させる位置に制約はない。したがって、図２６の（ｃ）に示すように、新たにダウンロードしたアプリケーションのアイコンが、所定の場所５５に重なる位置に配置され得る。
【０１５３】
ミニテレビ５０の表示設定なしの場合は、ミニテレビ５０がホーム画面上の所定の場所５５に配置されない。そのため、アイコンを所定の場所５５内に配置したとしても、ミニテレビ５０と当該アイコンとが重なってしまう心配はない。
【０１５４】
＜付帯構成−８＞
図４に示したように、ホーム画面が複数のページから構成されている場合、現在どのページを表示しているのか（すなわち、現在表示されているホーム画面の位置）を示すためのインジケータがある。例えば、各ページを図４に示したインジケータ７０のようなドット等のオブジェクトで表し、現在表示しているページのオブジェクトの色、濃淡又はサイズ等を他のオブジェクトと異ならせて表示することにより、現在表示しているページを示すことができる。
【０１５５】
付帯構成−６でミニテレビ５０の表示設定を選択できる構成を示したが、当該表示設定に応じて、現在表示されているホーム画面の位置を示すインジケータを異ならせることができる。これについて、図２７を参照して説明する。図２７は、各表示設定におけるインジケータの表示例を示す図である。
【０１５６】
ミニテレビ５０の表示設定ありの場合、ホームアプリ実行部１３は、図２７の（ａ）に示すような、ホーム画面上のインジケータ表示部分６０に、ミニテレビ５０の表示設定あり用のインジケータを表示するように表示処理部１４に指示する。図２７の（ａ）では、１つ目のホーム画面（すなわち、ミニテレビホームモードにおいてミニテレビ５０が表示されるホーム画面）の位置を示すオブジェクトとしてテレビ型オブジェクト６０ａが表示されている。
【０１５７】
ミニテレビ５０の表示設定なしの場合、ホームアプリ実行部１３は、図２７の（ｂ）に示すような、ホーム画面上のインジケータ表示部分６０に、ミニテレビ５０の表示設定なし用のインジケータを表示するように表示処理部１４に指示する。図２７の（ｂ）では、１つ目のホーム画面（すなわち、ミニテレビホームモードにおいてミニテレビ５０が表示されるホーム画面）の位置を示すオブジェクトとして丸型オブジェクト６０ｂが表示されている。
【０１５８】
これにより、ホーム画面上のインジケータ表示部分６０を見るだけで、現在のミニテレビ５０の表示設定の有無を認識することができる。
【０１５９】
＜付帯構成−９＞
他のアプリケーションのウィジェット等のオブジェクトを、ミニテレビ５０と同様に２つの表示モードでホーム画面上に表示させてもよい。すなわち、ミニテレビ５０以外のオブジェクトも対象オブジェクトとしてもよい。
【０１６０】
例えば、他のアプリケーションのオブジェクトがホーム画面における所定の場所に固定して表示され、当該ホーム画面から次のホーム画面にスライドすると表示が停止されるホームモードと、ホーム画面がスライドされたか否かに関わらず、表示部１８の表示領域に対して固定して表示されるフリーモードとの２つの表示モードで他のアプリケーションのオブジェクトを表示することができる。表示モードの切り替え時の動作内容等はミニテレビ５０と同様である。
【０１６１】
このように、対象オブジェクトが複数ある場合は、各対象オブジェクトが独立して２つの表示モードを有しており、対象オブジェクト毎に表示モードの切り替えが可能である。
【０１６２】
＜付帯構成−１０＞
表示装置１では、ホーム画面上に表示する１又は複数のオブジェクトの配置方法に特に限定はないが、特定のルールにしたがってオブジェクトを配置してもよい。例えば、ホーム画面の各ページにテーマを設定し、各ページにはそのテーマに関連したオブジェクトを配置してもよい。これについて、図２８を参照して説明する。図２８の（ａ）〜（ｄ）は、テーマが異なる５ページそれぞれの画面表示例を示す図である。
【０１６３】
図２８では、ホーム画面を構成する各ページには、ユーザの家庭内での日常の生活シーンがテーマとして設定されている。そして、各ページには、その生活シーンに関連するアプリケーションのウィジェット及びアイコン、あるいは関連するウェブサイトへのショートカットアイコン等のオブジェクトが配置されている。
【０１６４】
例えば、図２８の（ａ）に示す１つ目のページには、「テレビを見る」というテーマが設定されている。このページには、「テレビを見る」というテーマに関連したオブジェクト、すなわちテレビを見る際に使用し得るオブジェクトが配置されている。
【０１６５】
本図では、「テレビを見る」というテーマに関連したオブジェクトとして、ミニテレビ５０、ミニテレビ用のウィジェット５１ａ，５１ｂ、及びミニテレビを見る際に使用し得るアプリケーション（例えば、テレビアプリ、及び番組表のアプリケーション等）のアイコン５２ａ〜５２ｃが表示されている。
【０１６６】
図２８の（ｂ）に示す２つ目のページには、「キッチンで使う」というテーマが設定されている。このページには、「キッチンで使う」というテーマに関連したオブジェクト、すなわちキッチンにいるときに使用し得るオブジェクトが配置されている。
【０１６７】
本図では、「キッチンで使う」というテーマに関連したオブジェクトとして、当該テーマに関連したコンテンツ（例えば、料理レシピ等のウェブサイトから取得したコンテンツ、又はクラウドから取得したコンテンツ）を表示するウィジェット５１ｃ、及びキッチンにいるときに使用し得るアプリケーション（例えば、料理レシピ検索及びタイマー等のアプリケーション）のアイコン５２ｄ，５２ｅが表示されている。
【０１６８】
図２８の（ｃ）に示す３つ目のページには、「リビングで使う」というテーマが設定されている。このページには、「リビングで使う」というテーマに関連したオブジェクト、すなわちリビングにいるときに使用し得るオブジェクトが配置されている。
【０１６９】
本図では、「リビングで使う」というテーマに関連したオブジェクトとして、当該テーマに関連したウェブサイト（例えば、新聞社、天気予報及び鉄道会社等のウェブサイト）から取得したコンテンツを表示するウィジェット５１ｄ〜５１ｇ、及びリビングにいるときに使用し得るアプリケーション（例えば、ネットショッピング、電子書籍及びゲーム等のアプリケーション）のアイコン５２ｆ〜５２ｊが表示されている。
【０１７０】
図２８の（ｄ）に示す４つ目のページには、「風呂で使う」というテーマが設定されている。このページには、「風呂で使う」というテーマに関連したオブジェクト、すなわち風呂に入っているときに使用し得るオブジェクトが配置されている。
【０１７１】
本図では、「風呂で使う」というテーマに関連したオブジェクトとして、風呂に入っているときに使用し得るアプリケーション（例えば、音楽視聴及び映画鑑賞等のアプリケーション）のアイコン５２ｋ，５２ｌが表示されている。
【０１７２】
図２８の（ｅ）に示す５つ目のページは、「子供部屋で使う」というテーマが設定されている。このページには、「子供部屋で使う」というテーマに関連したオブジェクト、すなわち子供部屋にいるときに使用し得るオブジェクトが配置されている。
【０１７３】
本図では、「子供部屋で使う」というテーマに関連したオブジェクトとして、子供部屋にいるときに使用し得るアプリケーション（例えば、英語学習及び演算学習等のアプリケーション）のアイコン５２ｍ，５２ｎが表示されている。
【０１７４】
このように、ホーム画面の各ページに設定されているテーマに関連したオブジェクトを各ページに配置することにより、ホーム画面上に配置されるオブジェクトが散らからず、これらのオブジェクトを整理することができる。
【０１７５】
また、複数のテーマ（例えば、家庭内におけるユーザの日常の各生活シーン）に応じたページが設けられているため、表示装置１を複数のユーザ同士で共有することができる。また、アカウントの切り替え等を行う必要がないため、気軽に複数のユーザ同士で共有することができる。そして、複数のユーザ同士で共有したとしても、ホーム画面上に配置されるオブジェクトは関連するテーマごとに分類されて配置されるため、散らからない。
【０１７６】
特に、表示装置１が持ち運び可能なタブレット端末である場合には、図２８に示したように、ホーム画面の各ページにユーザの家庭内での日常の生活シーンをテーマとして設定することにより、ユーザがタブレット端末を持ち運んだ部屋（空間）での使用シーンに最適なオブジェクトを表示することができる。例えば、ユーザがキッチンにタブレット端末を持ち運んだときには、「キッチンで使う」というテーマが設定されたページを表示することにより、キッチンでの表示装置１の使用に最適なオブジェクトを表示することができる。
【０１７７】
なお、ホーム画面を構成するすべてのページにテーマを設定しなくてもよく、一部のページ（例えば、最後のページ）にはテーマを設定せず、好きなオブジェクトをユーザが好きなように配置できるようにしてもよい。
【０１７８】
また、図２８では、ユーザの家庭内での日常の生活シーンをテーマとして設定する例を挙げたが、設定可能なテーマに特に限定はない。例えば、ユーザのオフィス内での使用シーンをテーマとして設定してもよい。
【０１７９】
ところで、ホーム画面に使用する画像に特に限定はない。例えば、図２８に示したようなイラスト画像、写真を用いた画像、又はテキスタイル画像等であってもよい。
【０１８０】
また、ホーム画面に使用する画像を複数のプレーンで構成してもよい。例えば、すべてのページで共通の画像（例えば、壁と床とが表示された画像）を表示する第１プレーンがあり、その上に、各ページに応じた画像（例えば、設定されているテーマに応じた家具の画像）を表示する第２プレーンがあってもよい。
【０１８１】
これにより、第１プレーンの画像の上に、第２プレーンの画像が重畳して表示されることになる。そして、第１プレーンは、表示されているページに関係なく、常に同じ画像を表示し、第２プレーンは、表示されているページに応じた画像を表示する。したがって、ユーザがホーム画面上を左又は右にフリックすると、第２プレーンで表示している画像が切り替わることになる。
【０１８２】
なお、ホーム画面に使用する画像としては、図２８に示したように、各ページのテーマに合った（紐づけられた）デザインの画像を用いることが好ましい。例えば、「キッチンで使う」というテーマが設定されたページの画像としては、キッチンの画像又はキッチンに関連する画像を用いるとよい。また、図２８の（ｃ）に示したように、棚等が表示された画像を用いる場合は、画像上の棚にアイコン等のオブジェクトを実際に配置する仕様を採用してもよい。
【０１８３】
（付記事項）
本発明に係る表示装置は、入力受付部としてタッチパネルを備えるタブレット端末又はテレビジョン受像機等として好適に実現できるが、本発明は必ずしもこれに限定されるわけではない。例えば、本発明に係る表示装置は、入力受付部としてタッチパッド付リモコン又はタッチパッド付マウス等を備えていてもよい。また、タブレット端末及びテレビジョン受像機以外にも、入力受付部としてタッチパッド付リモコン又はタッチパッド付マウス等を備えるレコーダとして本発明に係る表示装置のうち表示部１８以外の構成を実現することができる。あるいは、本発明に係る表示装置のうち表示部１８以外の構成は、セットトップボックス（Set Top Box：ＳＴＢとも呼ぶ）として実現してもよい。この場合、入力受付部は、タッチパッド付リモコン又はタッチパッド付マウス等であってもよいし、ＳＴＢが使用されるテレビジョン受像機等が備えるタッチパネルであってもよい。
【０１８４】
入力受付部は、タッチパッド付リモコン以外にも、十字キー等のキーを備えたリモコンであってもよい。この場合、カーソル、又はオブジェクトの選択を示す枠等をリモコンの十字キーで操作する等して、表示装置の操作を行う。
【０１８５】
なお、タッチ検出部は、ユーザによるタッチ位置を検出するのではなく、カーソルの位置、又はオブジェクトの選択を示す枠等でフォーカスされた位置等を検出することになる。
【０１８６】
なお、図１では、チューナ部１９を備える表示装置を示したが、本発明は必ずしもこれに限定されるわけではない。例えば、本発明に係る表示装置では、チューナ部が別体となっていてもよい。この場合、チューナ部がチューナボックスとして別に存在しており、当該チューナボックスには放送波を受信するアンテナも含まれる。このチューナボックスと表示装置との間は、無線ＬＡＮ等で接続されており、テレビ放送映像はＤＬＮＡ（登録商標）等の仕組みを利用して表示装置へ送られる。
【０１８７】
上述したように、本実施形態におけるオブジェクトとは、アイコン、ウィジェット及びコンテンツ等、表示装置の表示画面に表示する対象である。このコンテンツには、インターネットのホームページ、広告、静止画コンテンツ及び動画コンテンツ等が含まれる。動画コンテンツには、テレビ放送映像及びストリーミングコンテンツ等が含まれる。
【０１８８】
静止画コンテンツ及び動画コンテンツについては、メモリ１７に記憶されているものであってもよいし、外部記録媒体又は外部入力機器等の外部機器２４に記憶されているものであってもよい。
【０１８９】
〔実施形態２〕
実施形態１では、２つの表示モードを切り替え可能な表示装置について説明したが、これば本明細書に記載の発明を限定するものではない。以下では、表示モードの有無にかかわらず、オブジェクトをコンテンツと共に表示する際に、オブジェクトを適切な箇所に表示することのできる表示装置について、参照する図面を替えて説明する。なお、すでに説明した部分と同様の部分については同じ符号を付し、その説明を省略する。
【０１９０】
（表示装置の概要）
本実施形態に係る表示装置３は、オブジェクトをコンテンツと共に表示するものである。例えば、本実施形態に係る表示装置は、図２に示すようなスマートフォン及びタブレットＰＣ（Personal Computer）等のタブレット端末１００、又は図３に示すようなテレビジョン受像機２００として実現できる。
【０１９１】
（表示装置の構成）
本実施形態に係る表示装置の詳細な構成について、図２９を参照して説明する。図２８は、本実施形態に係る表示装置３の構成を示すブロック図である。
【０１９２】
表示装置３は、図２９に示すように、制御部３１、入力受付部（受付部）１６、メモリ１７、表示部１８、チューナ部１９、外部通信部２０及び外部機器接続部２１を有している。
【０１９３】
制御部３１は、表示装置３の各部の動作及び処理を制御するものであり、テレビアプリ実行部３２、ホームアプリ実行部（調整部）３３、表示処理部３４及びタッチ検出部３５を有している。
【０１９４】
本実施形態に係るメモリ１７には、１又は複数のプログラム、及び表示装置３の設定データ等が格納されている。メモリ１７に格納されている１又は複数のプログラムには、表示装置３を動作させるためのＯＳ（Operating System）およびミドルウェア等も含まれている。
【０１９５】
制御部３１が備えるホームアプリ実行部３３は、表示装置３のホーム画面の表示制御を行いながら、メモリ１７に格納されているアプリケーションプログラムを起動（および実行）する。ホームアプリ実行部３３は、ホーム画面又はアプリケーションの表示画面を表示するように表示処理部３４に指示する。
【０１９６】
アプリケーションプログラムの１つとして、チューナ部１９が受信した放送波から取得したテレビ放送映像を表示部１８に表示するアプリケーション（以下、テレビアプリとも呼ぶ）がある。制御部３１が備えるテレビアプリ実行部３２は、ホームアプリ実行部３３によって起動されたテレビアプリを実行する。テレビアプリ実行部３２は、テレビ放送映像を表示するように表示処理部３４に指示したり、テレビ放送映像の表示を停止するように表示処理部３４に指示したりする。
【０１９７】
本実施形態に係る表示装置３は、表示装置１と同様に、スライド可能な背景上に１又は複数のオブジェクトを表示する。表示処理部３４は、実施形態１に係る表示処理部１４と同様に、供給された画像又は情報から、表示部１８に表示する画像を生成する処理を行う。
【０１９８】
タッチ検出部３５は、タッチ検出部１５と同様に、入力受付部１６がユーザからの入力を受け付けると、ユーザによるタッチ位置を検出する。さらに、タッチ検出部１５は、検出したタッチ位置に基づき、ユーザによる入力の内容を判定する。
【０１９９】
〈動作例１〉
次に、本発明の実施形態２に係る表示装置３の動作例１について、図３０を参照して説明する。図３０は、本実施形態に係る表示装置３の動作例１を示す画面構成図である。動作例１は、ユーザがアイコンフォルダ（オブジェクト）を開く操作を行った場合に、開いたアイコンフォルダがテレビ映像（コンテンツ）に重畳するときに、表示装置３がテレビ映像の表示を停止するものである。
【０２００】
なお、本動作例は、アイコンフォルダを展開する操作に限定されず、例えば、アイコンを拡大する操作にも適用可能である。また、本動作例において、表示装置３は、テレビ映像の表示を停止するときに、テレビ音声の出力を停止してもよいし、テレビ音声の出力を継続してもよい。
【０２０１】
図３０（ａ）に示すように、表示装置３は、表示部１８（画面）に、テレビ画面１８１ａと、アイコンフォルダ１８２ａとを、互いに重ならないように表示する。表示装置３は、テレビ画面１８１ａにテレビ映像を表示する。アイコンフォルダ１８２ａは、１又は複数のアイコンを含むフォルダである。この状態において、ユーザは、アイコンフォルダ１８２ａを開く操作を行うことができる。アイコンフォルダ１８２ａを開く操作は、例えば、タップにより行われる。
【０２０２】
なお、図３０（ａ）では、表示装置３が１個のアイコンフォルダ１８２ａを表示しているが、複数のアイコンフォルダを表示してもよい。そのとき、ユーザは、複数のアイコンフォルダの何れかを展開又は拡大する操作を行う。
【０２０３】
図３０（ａ）に示す表示部１８において、ユーザがアイコンフォルダ１８２ａを開く操作を行うと、図３０（ｂ）に示すように、表示装置３は、アイコンフォルダ１８２ａを展開して、アイコンフォルダ１８２ｂを表示するとともに、アイコンフォルダ１８２ｂの中に４個のアイコン１８３を表示する。
【０２０４】
このとき、展開したアイコンフォルダ１８２ｂが、図３０（ａ）に示すテレビ画面１８１ａのテレビ映像に重なるので、図３０（ｂ）においては、表示装置３は、テレビ画面１８１ｂにテレビ映像を表示しない、つまり、テレビ映像を消す。
【０２０５】
表示部１８において、テレビ映像のプレーンと、アイコンフォルダのプレーンとが異なり、テレビ映像のプレーンが最前面にある。すなわち、表示装置３は、複数のプレーンを用いて表示を行うものであり、アイコンフォルダを表示するプレーンよりも上位のプレーンにテレビ映像を表示する。従って、表示装置３は、テレビ映像と、アイコンフォルダとが重なった場合に、テレビ映像を優先して表示する。この場合に、アイコンフォルダ全体を表示するためには、表示装置３は、テレビ映像を消して、テレビ映像のプレーンを透明にすることが好ましい。
【０２０６】
なお、展開されたアイコンフォルダ１８２ｂがテレビ画面１８１ａのテレビ映像に重なっていない場合に、表示装置３は、アイコンフォルダ１８２ｂと、テレビ画面１８１ａのテレビ映像とをそれぞれのプレーンで表示可能なので、テレビ映像を消すことなく、テレビ映像を表示した状態を継続する。アイコンフォルダ１８２ｂがテレビ画面１８１ａのテレビ映像に重なっているか否かの判断は、ミニテレビホームの表示座標を取得可能な、アイコンフォルダを展開表示するホームアプリ実行部３３が行う。
【０２０７】
次に、表示装置３が表示部１８における図３０（ａ）の表示状態から図３０（ｂ）の表示状態に遷移させる表示制御について、図２９、図３０を参照して詳細に説明する。
【０２０８】
まず、ユーザは、図３０（ａ）に示される、表示部１８に表示されたアイコンフォルダ１８２ａをタップする。表示装置３において、入力受付部１６が当該タップを受け付けて、タッチ検出部３５が当該タップの画面上の位置により、タッチ位置がアイコンフォルダ１８２ａの範囲に含まれることを判定すると共に、タッチ位置が１箇所であり、タッチの継続時間が所定値未満であることから、ユーザがタップ操作をしたことを判定する。タッチ検出部３５は、ユーザがアイコンフォルダ１８２ａに対してタップ操作を行ったことを示すタッチ情報をホームアプリ実行部３３に通知する。
【０２０９】
ホームアプリ実行部３３は、タッチ検出部３５から上記タッチ情報の通知を受けて、アイコンフォルダ１８２ａがタップされたことを認識する。次に、ホームアプリ実行部３３は、アイコンフォルダ１８２ａが展開された状態であるアイコンフォルダ１８２ｂが表示される範囲（例えば、４個の頂点の座標、１個の頂点の座標と縦横の長さなど）を計算する。そして、ホームアプリ実行部３３は、展開されたアイコンフォルダ１８２ｂの画像を含むホーム画面のデータを表示処理部３４に供給する。そして、ホームアプリ実行部３３は、メモリ１７又はテレビアプリ実行部３２からテレビ画面１８１ａの表示範囲（例えば、４個の頂点の座標、１個の頂点の座標と縦横の長さなど）を取得する。さらに、ホームアプリ実行部３３は、計算したアイコンフォルダ１８２ｂの表示範囲と、取得したテレビ画面１８１ａの表示範囲とが重なるか否かを判定する。アイコンフォルダ１８２ｂの表示範囲と、テレビ画面１８１ａの表示範囲とが重なる場合、ホームアプリ実行部３３は、テレビアプリ実行部３２にテレビ映像の供給停止を指示する。
【０２１０】
テレビアプリ実行部３２は、ホームアプリ実行部３３からテレビ映像の供給停止の指示を受けると、表示処理部３４に対するテレビ映像の供給を停止する。一方、テレビアプリ実行部３２は、ホームアプリ実行部３３からテレビ映像の供給停止の指示を受けなければ、表示処理部３４に対するテレビ映像の供給を継続する。
【０２１１】
表示処理部３４は、ホームアプリ実行部３３からホーム画面のデータを取得し、当該ホーム画面を表示するように表示部１８に指示する。また、表示処理部３４は、テレビアプリ実行部３２から供給されるテレビ映像を表示するように表示部１８に指示するが、テレビアプリ実行部３２からテレビ映像が供給されなければ、表示部１８にはテレビ映像の表示を指示しない。
【０２１２】
表示部１８は、表示処理部３４からの指示に従って、ホーム画面およびテレビ映像を表示するが、表示処理部３４からテレビ映像表示の指示がなければ、テレビ映像の表示は行わない。
【０２１３】
上記によれば、表示装置３において、アイコンフォルダ１８２ａを展開する操作が行われた場合に、展開されたアイコンフォルダ１８２ｂの少なくとも一部が、テレビ画面１８１ａのテレビ映像の少なくとも一部に重畳するときに、表示装置３は、当該テレビ映像の表示を停止する。これにより、展開されたアイコンフォルダ１８２ｂの一部又は全体が当該テレビ映像に重なったとしても、アイコンフォルダ１８２ｂ全体を表示することができる。従って、アイコンフォルダをテレビ映像と共に表示する際に、アイコンフォルダを適切に表示することができる。
【０２１４】
〈動作例２〉
次に、本発明の実施形態２に係る表示装置３の動作例２について、図３１を参照して説明する。図３１は、本実施形態に係る表示装置３の動作例２を示す画面構成図である。動作例２は、ユーザによって、アイコン（オブジェクト）を移動するために、アイコンを移動する操作を受け付けた場合に、表示装置３がテレビ映像（コンテンツ）の表示を停止するものである。
【０２１５】
なお、本動作例は、アイコンを移動する操作に限定されず、例えば、アイコンフォルダを移動する操作にも適用可能である。また、本動作例において、表示装置３は、テレビ映像の表示を停止するときに、テレビ音声の出力を停止してもよいし、テレビ音声の出力を継続してもよい。
【０２１６】
図３１（ａ）に示すように、表示装置３は、表示部１８（画面）に、テレビ画面１８１ａと、アイコン１８４とを、互いに重ならないように表示する。表示装置３は、テレビ画面１８１ａにテレビ映像を表示する。アイコン１８４は、アプリケーションの起動などに用いられる。この状態において、ユーザは、アイコン１８４を移動させる操作を入力する。アイコン１８４を移動させる操作とは、例えば入力受付部１６がタッチパネルの場合は、ホーム画面上のアイコン１８４を長押しする操作等であり、入力受付部１６がマウスの場合は、マウスでアイコン１８４をドラッグする操作、又はマウスを操作（例えば、右クリック等）することによって呼び出したポップアップメニューからアイコン１８４を移動させるコマンドを選択する操作等である。
【０２１７】
以下では、ホーム画面上のアイコン１８４を移動させる操作の一例として、ユーザがホーム画面上のアイコン１８４を長押しする場合を例に挙げて説明する。アイコン１８４を長押しする操作は、ユーザの指で行われてもよいし、タッチペンなどを用いて行われてもよい。
【０２１８】
なお、図３１（ａ）では、表示装置３が１個のアイコン１８４を表示しているが、複数のアイコンを表示してもよい。そのとき、ユーザは、複数のアイコンの何れかを移動するために、当該アイコンを長押しする操作を行う。
【０２１９】
図３１（ａ）に示す表示部１８において、ユーザがアイコン１８４を押す操作を所定時間以上継続すると、図３１（ｂ）に示すように、表示装置３は、テレビ画面１８１ｂにテレビ映像を表示せず、つまり、テレビ映像を消す。
【０２２０】
表示部１８において、テレビ映像のプレーンと、アイコンフォルダのプレーンとが異なり、テレビ映像のプレーンが最前面にある。すなわち、表示装置３は、複数のプレーンを用いて表示を行うものであり、アイコンフォルダを表示するプレーンよりも上位のプレーンにテレビ映像を表示する。従って、表示装置３は、テレビ映像と、アイコンフォルダとが重なった場合に、テレビ映像を優先して表示する。
【０２２１】
一方、アイコン１８４は、ユーザによって長押しされているので、任意の箇所に移動する可能性があり、テレビ画面１８１ａのテレビ映像に重なることもあり得る。ユーザの操作に応じて任意の箇所に移動するアイコン１８４全体の表示を継続するためには、表示装置３は、テレビ映像のプレーンを透明にすること、当該プレーン自体を消すこと、又はテレビ映像を消すことが好ましい。
【０２２２】
次に、表示装置３が表示部１８における図３１（ａ）の表示状態から図３１（ｂ）の表示状態に遷移させる表示制御について、図２９、図３１を参照して詳細に説明する。
【０２２３】
まず、ユーザは、図３１（ａ）に示される、表示部１８に表示されたアイコン１８４を長押しする。表示装置３において、入力受付部１６が当該長押しを受け付けて、タッチ検出部３５が当該長押しに係るタッチの画面上の位置、および、当該タッチの継続時間を検出する。タッチ検出部３５は、当該タッチの位置がアイコン１８４の範囲に含まれ、当該タッチの位置が一箇所であり、かつ、当該タッチの継続時間が所定値以上であると判定すると、ユーザがアイコン１８４を長押ししたことを示すタッチ情報をホームアプリ実行部３３に通知する。
【０２２４】
ホームアプリ実行部３３は、アイコン１８４が長押しされたことを示すタッチ情報を受けて、テレビアプリ実行部３２にテレビ画面１８１ａのテレビ映像の表示を停止するように通知する。
【０２２５】
テレビアプリ実行部３２は、ホームアプリ実行部３３からテレビ映像の表示停止の通知を受けて、表示処理部３４に対するテレビ映像の供給を停止する。
【０２２６】
表示処理部３４は、テレビアプリ実行部３２からテレビ映像が供給されなくなると、表示部１８にテレビ映像の表示を指示しない。
【０２２７】
表示部１８は、表示処理部３４からテレビ映像表示の指示がないので、テレビ映像の表示は行わない。
【０２２８】
上記によれば、表示装置３において、アイコン１８４を移動するために、アイコン１８４を移動する操作を受け付けた場合に、表示装置３は、テレビ画面１８１ａのテレビ映像の表示を停止する。これにより、アイコン１８４が移動して、テレビ画面１８１ｂに重なったとしても、アイコン１８４全体を表示することができる。従って、アイコンをテレビ映像と共に表示する際に、アイコンを適切に表示することができる。
【０２２９】
〈動作例３〉
次に、本発明の実施形態２に係る表示装置３の動作例３について、図３２を参照して説明する。図３２は、本実施形態に係る表示装置３の動作例３を示す画面構成図である。動作例３は、ユーザによって、新たにインストールされたアプリケーションを表すアイコン（対象オブジェクト）がテレビ映像（コンテンツ）に重ならないように、表示装置３が当該アイコンの表示位置を調整するものである。
【０２３０】
なお、本動作例は、新たにインストールされたアプリケーションを表すアイコンの表示位置の調整に限定されず、例えば、一括してインストールされた複数のアプリケーションを表す各アイコンを含むアイコンフォルダの表示位置の調整にも適用可能である。
【０２３１】
図３２（ａ）に示すように、表示装置３は、表示部１８（画面）にテレビ画面１８１ａを表示するとともに、テレビ画面１８１ａにテレビ映像を表示する。
【０２３２】
図３２（ａ）に示す表示部１８において、ユーザが表示装置３にアプリケーションをインストールすると、図３２（ｂ）に示すように、表示装置３は、テレビ画面１８１ａのテレビ映像に重ならないように、新たにインストールされたアプリケーションを表すアイコン１８４を表示する。
【０２３３】
表示部１８において、テレビ映像のプレーンと、アイコンフォルダのプレーンとが異なり、テレビ映像のプレーンが最前面にある。すなわち、表示装置３は、複数のプレーンを用いて表示を行うものであり、アイコンフォルダを表示するプレーンよりも上位のプレーンにテレビ映像を表示する。従って、表示装置３は、テレビ映像と、アイコンフォルダとが重なった場合に、テレビ映像を優先して表示する。
【０２３４】
一方、アイコン１８４は、ユーザによって新たにインストールされたアプリケーションを表すものであるので、アイコン１８４全体が表示されることが望ましい。表示装置３は、アイコン１８４全体を表示するために、アイコン１８４がテレビ画面１８１ａのテレビ映像に重ならないように、アイコン１８４の表示位置を調整することが好ましい。
【０２３５】
次に、表示装置３が表示部１８における図３２（ａ）の表示状態から図３２（ｂ）の表示状態に遷移させる表示制御について、図２９、図３２を参照して詳細に説明する。
【０２３６】
まず、ユーザは、図３２（ａ）に示される、表示部１８の表示状態において、表示装置３に新たにアプリケーションをインストールする。この場合、ホームアプリ実行部３３は、アプリケーションのインストールを実行し、当該インストールが終了すると、当該アプリケーションを表すアイコン１８４の画像を生成する。次に、ホームアプリ実行部３３は、メモリ１７又はテレビアプリ実行部３２からテレビ画面１８１ａの表示範囲（例えば、４個の頂点の座標、１個の頂点の座標と縦横の長さなど）を取得する。
【０２３７】
そして、ホームアプリ実行部３３は、取得したテレビ画面１８１ａの表示範囲と、アイコン１８４の表示サイズ（例えば、矩形の縦横の長さなど）とにより、アイコン１８４がテレビ画面１８１ａのテレビ映像に重ならないように、アイコン１８４の表示位置を調整する。さらに、ホームアプリ実行部３３は、当該表示位置に調整されたアイコン１８４の画像を含むホーム画面のデータを表示処理部３４に供給する。
【０２３８】
表示処理部３４は、ホームアプリ実行部３３からホーム画面のデータの供給を受けて、表示部１８に当該ホーム画面の表示を指示する。
【０２３９】
表示部１８は、表示処理部３４から当該ホーム画面の表示指示を受けて、当該ホーム画面の表示を行う。
【０２４０】
上記によれば、アプリケーションが新たにインストールされた場合に、当該アプリケーションを表すアイコン１８４がテレビ画面１８１ａのテレビ映像に重ならないように、表示装置３は、アイコン１８４の表示位置を調整する。これにより、アプリケーションの新たなインストールによって生成されたアイコン１８４全体を、テレビ映像と干渉することなく、表示することができる。従って、アイコンをテレビ映像と共に表示する際に、アイコンを適切に表示することができる。
【０２４１】
〈動作例４〉
次に、本発明の実施形態２に係る表示装置３の動作例４について説明する。
【０２４２】
ユーザが表示部１８（画面）をタッチして操作する場合、ユーザが最初にタッチした箇所（起点）がテレビ映像であるとき、その後の操作対象はテレビになる。一方、ユーザが最初にタッチした箇所（起点）がテレビ映像以外であるとき、その後の操作対象は、タッチしたアイコンが表すアプリケーションになる。従って、ユーザがテレビ映像又はアイコンをドラッグして移動させている最中に、操作の対象が突然切り替わることはない。
【０２４３】
＜実施形態２の付記事項＞
実施形態２に記載された構成を、実施形態１と組み合わせて用いる構成も本明細書に記載された発明に含まれる。
【０２４４】
また、実施形態１の付記事項は、本実施形態にも適用される。
【０２４５】
〔ソフトウェアによる実現例〕
表示装置１、３の制御部１１、３１（特に、テレビアプリ実行部１２、３２、及びホームアプリ実行部１３、３３）は、集積回路（ＩＣチップ）等に形成された論理回路（ハードウェア）によって実現してもよいし、ＣＰＵ（Central Processing Unit）を用いてソフトウェアによって実現してもよい。
【０２４６】
後者の場合、表示装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２４７】
〔まとめ１〕
本発明の態様１に係る表示装置１は、スライド可能な背景上に１又は複数のオブジェクトを表示する表示装置１であって、上記１又は複数のオブジェクトのうちの対象オブジェクトの表示を、上記背景がスライドされた場合に停止する第１のモードと、上記背景がスライドされたか否かに関わらず、当該対象オブジェクトを表示領域に対して固定して表示する第２のモードとが切り替え可能であることを特徴とする。
【０２４８】
上記の構成によれば、第１のモードは、対象オブジェクトを重点的に視聴したい場合に好適な表示モードであり、第２のモードは、他のオブジェクトを視聴しながら対象オブジェクトを視聴したい場合に好適な表示モードである。この２つの表示モードは、ユーザの所望のタイミングで切り替え可能になるため、ユーザが望む視聴形態に応じた表示モードに容易に切り換えることができる。
【０２４９】
本発明の態様２に係る表示装置１は、上記態様１において、上記第１のモードにおいて、上記対象オブジェクトを移動する操作を受け付けた場合、上記第１のモードから上記第２のモードに切り替える。
【０２５０】
上記の構成によれば、対象オブジェクトを長押しするだけで第１のモードから第２のモードへ切り替えることができる。このように、本発明の一態様に係る表示装置１では、ユーザは簡単な動作でモード切り替えを行うことができる。
【０２５１】
本発明の態様３に係る表示装置１は、上記態様１又は２において、上記第２のモードにおいて、上記対象オブジェクトを上記背景における所定の領域内に移動する操作を受け付けた場合、上記第２のモードから上記第１のモードに切り替える。
【０２５２】
上記の構成によれば、対象オブジェクトを所定の領域内へ移動させるだけで第２のモードから第１のモードへ切り替えることができる。このように、本発明の一態様に係る表示装置１では、ユーザは簡単な動作でモード切り替えを行うことができる。
【０２５３】
本発明の態様４に係る表示装置１は、上記態様１から３の何れかにおいて、全画面表示のアプリケーションを実行中に、上記背景を表示させる操作を受け付けた場合、上記第１のモード及び上記第２のモードのうち上記アプリケーション実行前に表示していたモードで上記対象オブジェクトの表示を行う。
【０２５４】
上記の構成によれば、アプリケーションを終了させた場合でも、アプリケーション実行前の表示モードを維持することができる。
【０２５５】
本発明の態様５に係る表示装置１は、上記態様１から４の何れかにおいて、上記第１のモードにおいて、上記対象オブジェクトが選択された場合、当該対象オブジェクトを全画面表示する。また、本発明の態様６に係る表示装置１は、上記態様１から５の何れかにおいて、上記第２のモードにおいて、上記対象オブジェクトが選択された場合、当該対象オブジェクトを操作するためのオブジェクトを表示する。
【０２５６】
上記の構成によれば、表示モードに応じて、対象オブジェクトを選択したときの動作を変えることができる。
【０２５７】
本発明の態様７に係る表示装置１は、上記態様１から６の何れかにおいて、上記第１のモードにおいて、上記１又は複数のオブジェクトの何れかを展開又は拡大する操作を受け付けた場合、展開又は拡大されたオブジェクトの少なくとも一部が、上記対象オブジェクトの少なくとも一部に重畳するときには、上記対象オブジェクトの表示を停止する。
【０２５８】
上記の構成によれば、展開又は拡大されたオブジェクトと、対象オブジェクトとが重畳する場合でも、展開又は拡大されたオブジェクトを何ら問題なく視認することができる。
【０２５９】
本発明の態様８に係る表示装置１は、上記態様１から７の何れかにおいて、上記第２のモードにおいて、上記１又は複数のオブジェクトの何れかを展開又は拡大する操作を受け付けた場合、展開又は拡大されたオブジェクトの少なくとも一部が、上記対象オブジェクトの少なくとも一部に重畳するか否かに関わらず、上記対象オブジェクトを優先して表示する。
【０２６０】
上記の構成によれば、展開又は拡大されたオブジェクトと、対象オブジェクトとが重畳する場合は、対象オブジェクトを移動させればよいので、対象オブジェクトを展開又は拡大されたオブジェクトよりも優先して表示しても何ら問題ない。
【０２６１】
本発明の態様９に係る表示装置１は、上記態様１から８の何れかにおいて、上記第１のモードにおいて、上記１又は複数のオブジェクトの何れかを移動するために、当該オブジェクトを移動する操作を受け付けた場合、上記対象オブジェクトの表示を停止する。
【０２６２】
上記の構成によれば、オブジェクトを移動中に対象オブジェクトと重畳した場合でも、移動中のオブジェクトを何ら問題なく視認することができる。
【０２６３】
本発明の態様１０に係る表示装置１は、上記態様１から９の何れかにおいて、上記第２のモードにおいて、上記１又は複数のオブジェクトの何れかを移動するために、当該オブジェクトを移動する操作を受け付けた場合、上記対象オブジェクトを優先して表示する。
【０２６４】
上記の構成によれば、オブジェクトを移動中に対象オブジェクトと重畳する場合は、対象オブジェクトを移動させればよいので、対象オブジェクトを移動中のオブジェクトよりも優先して表示しても何ら問題ない。
【０２６５】
本発明の態様１１に係る表示装置１は、上記態様１から１０の何れかにおいて、上記第１のモードにおいて、全画面表示のアプリケーションを起動する操作を受け付けた場合、上記アプリケーションを全画面表示すると共に、上記対象オブジェクトの表示を停止する。
【０２６６】
上記の構成によれば、アプリケーションを起動した場合には、当該アプリケーションのみが表示されるため、アプリケーションを重点的に使用したい場合に好適である。
【０２６７】
本発明の態様１２に係る表示装置１は、上記態様１から１１の何れかにおいて、上記第２のモードにおいて、全画面表示のアプリケーションを起動する操作を受け付けた場合、上記アプリケーションを全画面表示すると共に、上記対象オブジェクトを表示領域に対して固定して表示する。
【０２６８】
上記の構成によれば、アプリケーションを起動した場合でも、対象オブジェクトが一緒に表示されるため、アプリケーションを使用しながら対象オブジェクトを視聴したい場合に好適である。
【０２６９】
本発明の態様１３に係る表示装置１は、上記態様１から１２の何れかにおいて、上記対象オブジェクトを上記第１のモードで表示するか、当該対象オブジェクトの表示を停止するかを選択するメニューを表示する。
【０２７０】
上記の構成によれば、ユーザは、対象オブジェクトの表示有無を適宜切り替えることができる。
【０２７１】
本発明の態様１４に係る表示装置１は、上記態様１３において、上記メニューの選択に応じて、現在表示している上記背景の位置を示すオブジェクトを変更する。
【０２７２】
上記の構成によれば、現在表示している背景の位置を示すオブジェクトを見るだけで、対象オブジェクトの表示有無を認識することができる。
【０２７３】
本発明の態様１５に係る表示装置１は、上記態様１から１４の何れかにおいて、上記背景は複数のページから構成されており、上記ページごとにテーマが設定されており、各上記ページには、設定されている上記テーマに関連する上記オブジェクトを配置する。
【０２７４】
上記の構成によれば、背景の各ページに設定されているテーマに関連したオブジェクトを各ページに配置することにより、背景上に配置されるオブジェクトが散らからず、整理することができる。
【０２７５】
また、複数のテーマ（例えば、家庭内におけるユーザの日常の各生活シーン）に応じたページが設けられているため、本発明の一態様に係る表示装置１を複数のユーザ同士で共有することができる。また、アカウントの切り替え等を行う必要がないため、気軽に複数のユーザ同士で共有することができる。そして、複数のユーザ同士で共有したとしても、背景上に配置されるオブジェクトは関連するテーマごとに分類されて配置されるため、散らからない。
【０２７６】
また、上記態様１から１５の何れかの表示装置を備えるテレビジョン受像機も、本発明の範疇に入る。
【０２７７】
また、本発明の態様１から態様１５の何れかの表示装置は、コンピュータによって実現してもよく、この場合には、コンピュータを上記表示装置として動作させることにより上記表示装置をコンピュータにて実現させる表示装置のプログラム、及びそれを記録したコンピュータ読み取り可能な記録媒体も、本発明の範疇に入る。
【０２７８】
本発明の態様１６に係る表示方法１は、スライド可能な背景上に１又は複数のオブジェクトを表示する表示方法であって、上記１又は複数のオブジェクトのうちの対象オブジェクトの表示を、上記背景がスライドされた場合に停止する第１のモードと、上記背景がスライドされたか否かに関わらず、当該対象オブジェクトを表示領域に対して固定して表示する第２のモードとを切り替える。
【０２７９】
上記の方法によれば、本発明の態様１に係る表示装置と同様の効果を奏することができる。
【０２８０】
〔まとめ２〕
本発明の態様１６に係る表示装置（３）は、１又は複数のオブジェクトをコンテンツと共に表示する表示装置であって、上記１又は複数のオブジェクトの何れかを展開又は拡大する操作を受け付ける受付部（入力受付部１６）と、展開又は拡大されたオブジェクトの少なくとも一部が、上記コンテンツの少なくとも一部に重畳する場合、上記コンテンツの表示を停止する制御部（３１）と、を備えている。
【０２８１】
上記の構成によれば、表示装置において、１又は複数のオブジェクトの何れかを展開又は拡大する操作が行われた場合に、展開又は拡大されたオブジェクトの少なくとも一部が、コンテンツの少なくとも一部に重畳するときに、表示装置は、当該コンテンツの表示を停止する。これにより、展開又は拡大されたオブジェクトの一部又は全体がコンテンツに重なったとしても、当該オブジェクト全体を表示することができる。従って、オブジェクトをコンテンツと共に表示する際に、オブジェクトを適切に表示することができる。
【０２８２】
本発明の態様１７に係る表示装置は、１又は複数のオブジェクトをコンテンツと共に表示する表示装置であって、上記１又は複数のオブジェクトの何れかの対象オブジェクトを移動するために、当該対象オブジェクトを移動する操作を受け付けた場合、上記コンテンツの表示を停止する。
【０２８３】
上記の構成によれば、表示装置において、１又は複数のオブジェクトの何れかの対象オブジェクトを移動するために、当該対象オブジェクトを移動する操作を受け付けた場合に、表示装置は、コンテンツの表示を停止する。これにより、当該対象オブジェクトが移動して、コンテンツの表示領域に重なったとしても、当該オブジェクト全体を表示することができる。従って、オブジェクトをコンテンツと共に表示する際に、オブジェクトを適切に表示することができる。
【０２８４】
本発明の態様１８に係る表示装置は、１又は複数のオブジェクトをコンテンツと共に表示する表示装置であって、新たにインストールされたアプリケーションを表す対象オブジェクトが上記コンテンツに重ならないように、当該対象オブジェクトの表示位置を調整する調整部（ホームアプリ実行部３３）を備えている。
【０２８５】
上記の構成によれば、アプリケーションが新たにインストールされた場合に、当該アプリケーションを表す対象オブジェクトがコンテンツに重ならないように、表示装置は、当該対象オブジェクトの表示位置を調整する。これにより、アプリケーションの新たなインストールによって生成されたオブジェクト全体を、コンテンツと干渉することなく、表示することができる。従って、オブジェクトをコンテンツと共に表示する際に、オブジェクトを適切に表示することができる。
【０２８６】
本発明の態様１９に係る表示装置は、上記態様１６から１８において、上記表示装置が複数のプレーンを用いて表示を行うものであり、上記１又は複数のオブジェクトを表示するプレーンよりも上位のプレーンに上記コンテンツを表示することとしてもよい。
【０２８７】
上記の構成によれば、コンテンツを表示するプレーンは、１又は複数のオブジェクトを表示するプレーンよりも上位にあるので、表示装置は、基本的に、コンテンツをオブジェクトよりも優先して表示することができる。なお、表示装置は、コンテンツの表示を停止することにより、オブジェクトを優先して表示することができる。
【０２８８】
本発明の態様２０に係るテレビジョン受像機は、上記態様１６から１９における表示装置を備えている。
【０２８９】
本発明の各態様に係る表示装置は、コンピュータによって実現してもよく、この場合には、コンピュータを上記表示装置が備える各手段として動作させることにより上記表示装置をコンピュータにて実現させる表示装置のプログラム、及びそれを記録したコンピュータ読み取り可能な記録媒体も、本発明の範疇に入る。
【０２９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０２９１】
１  表示装置
３  表示装置
１１  制御部
１２  テレビアプリ実行部
１３  ホームアプリ実行部
１４  表示処理部
１５  タッチ検出部
１６  入力受付部（受付部）
１８  表示部
１８１ａ、１８１ｂ  テレビ画面
１８２ａ、１８２ｂ  アイコンフォルダ（オブジェクト）
１８３、１８４  アイコン（オブジェクト）
３１  制御部
３２  テレビアプリ実行部
３３  ホームアプリ実行部（調整部）
３４  表示処理部
３５  タッチ検出部
５０  ミニテレビ
５５  所定の場所
６５  所定の領域
【図１】
2017038261.tif 000003
【図２】
2017038261.tif 000004
【図３】
2017038261.tif 000005
【図４】
2017038261.tif 000006
【図５】
2017038261.tif 000007
【図６】
2017038261.tif 000008
【図７】
2017038261.tif 000009
【図８】
2017038261.tif 000010
【図９】
2017038261.tif 000011
【図１０】
2017038261.tif 000012
【図１１】
2017038261.tif 000013
【図１２】
2017038261.tif 000014
【図１３】
2017038261.tif 000015
【図１４】
2017038261.tif 000016
【図１５】
2017038261.tif 000017
【図１６】
2017038261.tif 000018
【図１７】
2017038261.tif 000019
【図１８】
2017038261.tif 000020
【図１９】
2017038261.tif 000021
【図２０】
2017038261.tif 000022
【図２１】
2017038261.tif 000023
【図２２】
2017038261.tif 000024
【図２３】
2017038261.tif 000025
【図２４】
2017038261.tif 000026
【図２５】
2017038261.tif 000027
【図２６】
2017038261.tif 000028
【図２７】
2017038261.tif 000029
【図２８】
2017038261.tif 000030
【図２９】
2017038261.tif 000031
【図３０】
2017038261.tif 000032
【図３１】
2017038261.tif 000033
【図３２】
2017038261.tif 000034
【国際調査報告】
2017038261.tif 000035
2017038261.tif 000036
2017038261.tif 000037
2017038261.tif 000038